(57)【要約】【課題】患者に処方された薬剤の情報および患者の服薬状況に関する情報を総合的に管理し医師等に提供する。【解決手段】服薬情報提供装置１０４は、レセプトＤＢ２１２から、指定された患者識別子に関連付けられた所定の期間内の医薬品の情報および医薬品を処方した医療機関の情報を取得する。取得された医薬品の情報および医療機関の情報を含む服薬情報を薬局用端末１１０へ送信し、医薬品の情報を、医薬品を処方した医療機関ごとにグループ化して表示させる。薬局用端末１１０から、編集された服薬情報を受信する。編集された服薬情報は、患者識別子に対応する患者から聞き取った情報を含む。服薬情報に基づいて、医療機関ごとに、医療機関が処方した医薬品の情報及び患者から聞き取った情報を含む服薬状況レポートを生成する。【選択図】図１
2020042766.tif 000002
【特許請求の範囲】
【請求項１】
患者を識別する患者識別子と、医療機関識別子と、前記患者に対して調剤された医薬品の情報とを関連付けて記憶した記憶手段と、
前記記憶手段から、同一の患者識別子に関連付けられた所定の期間内の医薬品の情報および前記医薬品を処方した複数の医療機関の情報を取得する取得手段と、
前記取得手段により取得された医薬品の情報および複数の医療機関の情報を含む服薬情報を端末へ送信し、前記医薬品の情報を、前記医薬品を処方した医療機関ごとにグループ化して表示させる送信手段と、
前記患者識別子に対応する患者から聞き取った情報に基づいて前記医療機関ごとに編集された前記服薬情報を前記端末から受信する受信手段と、
前記編集された服薬情報に基づいて、前記医療機関ごとに、前記医療機関が処方した医薬品の情報及び前記患者から聞き取った情報を含む服薬状況レポートを生成する生成手段と
を備えたことを特徴とする服薬情報提供装置。
【請求項２】
前記編集された前記服薬情報は、前記患者識別子に対応する患者から聞き取った前記医薬品の残薬の情報を含むことを特徴とする請求項１に記載の服薬情報提供装置。
【請求項３】
前記編集された前記服薬情報は、前記患者識別子に対応する患者から聞き取った自覚症状のある副作用の情報を含み、
前記同一の患者識別子に関連付けられた所定の期間内の医薬品の情報のうちから、自覚症状のある副作用に対応する医薬品の情報を特定する手段と、
前記特定された医薬品の情報を前記端末に表示させる手段と
をさらに含むことを特徴とする請求項１に記載の服薬情報提供装置。
【請求項４】
前記生成手段は前記服薬状況レポートに前記患者識別子に対応する患者から聞き取った前記医薬品の自覚症状のある副作用の情報を含めて生成することを特徴とする請求項３に記載の服薬情報提供装置。
【請求項５】
前記取得された服薬情報に含まれた医薬品について、異なる医療機関において処方された医薬品の重複を判定する判定手段をさらに備え、前記送信手段は前記端末に前記医薬品の重複の判定結果を送信することを特徴とする請求項１ないし４のいずれかに記載の服薬情報提供装置。
【請求項６】
前記記憶手段は、前記医薬品の情報と傷病名の情報とを対応付けた第１の情報と、前記患者の傷病名と診療開始日とを対応付けた第２の情報とをさらに記憶しており、
前記判定手段により重複すると判定された医薬品の情報に対応する傷病名の情報を、前記第１の情報に基づいて特定する傷病名特定手段と、
前記傷病名特定手段により特定された傷病名に対応する診療開始日を、前記第２の情報に基づいて特定する診療開始日特定手段と、
前記重複すると判定された医薬品を処方した医療機関のうち、最先の診療開始日に対応する医療機関以外の医療機関に対し、前記重複すると判定された医薬品の処方を中止するよう通知する手段と
をさらに備えることを特徴とする請求項５に記載の服薬情報提供装置。
【請求項７】
前記生成手段は前記服薬状況レポートに前記医薬品の重複の判定結果の情報を含めて生成することを特徴とする請求項５または６に記載の服薬情報提供装置。
【請求項８】
前記取得された服薬情報に含まれた医薬品について、副作用を生じる医薬品の有無を判定する手段をさらに備え、前記送信手段は前記端末に前記副作用を生じる医薬品の有無の判定結果を送信することを特徴とする請求項１ないし７のいずれかに記載の服薬情報提供装置。
【請求項９】
前記生成手段は前記服薬状況レポートに前記副作用を生じる医薬品の有無の判定結果の情報を含めて生成することを特徴とする請求項８に記載の服薬情報提供装置。
【請求項１０】
前記取得された服薬情報に含まれた医薬品について、慎重な投与が必要な医薬品の有無を判定する手段をさらに備え、前記送信手段は前記端末に前記慎重な投与が必要な医薬品の有無の判定結果を送信することを特徴とする請求項１ないし９のいずれかに記載の服薬情報提供装置。
【請求項１１】
前記生成手段は前記服薬状況レポートに前記慎重な投与が必要な医薬品の有無の判定結果の情報を含めて生成することを特徴とする請求項１０に記載の服薬情報提供装置。
【請求項１２】
前記取得された服薬情報に含まれた医薬品について、相互作用を生じる医薬品の有無を判定する手段をさらに備え、前記送信手段は前記端末に前記相互作用を生じる医薬品の有無の判定結果を送信することを特徴とする請求項１ないし１１のいずれかに記載の服薬情報提供装置。
【請求項１３】
前記生成手段は前記服薬状況レポートに前記相互作用を生じる医薬品の有無の判定結果の情報を含めて生成することを特徴とする請求項１２に記載の服薬情報提供装置。
【請求項１４】
患者を識別する患者識別子と、医療機関識別子と、前記患者に対して調剤された医薬品の情報とを関連付けて記憶した記憶手段と、
前記記憶手段から、同一の患者識別子に関連付けられた所定の期間内の医薬品の情報および前記医薬品を処方した医療機関の情報を取得する取得手段と、
前記取得手段により取得された医薬品の情報および医療機関の情報を含む服薬情報を端末へ送信する送信手段と、
前記患者識別子に対応する患者から聞き取った情報に基づいて編集された前記服薬情報を前記端末から受信する受信手段と、
前記服薬情報に基づいて、前記医療機関ごとに、前記医療機関が処方した医薬品の情報及び前記患者から聞き取った情報を含む服薬状況レポートを生成する生成手段と
を備え、
前記編集された前記服薬情報は、前記患者識別子に対応する患者から聞き取った自覚症状のある副作用の情報を含み、
前記同一の患者識別子に関連付けられた所定の期間内の医薬品の情報のうちから、自覚症状のある副作用に対応する医薬品の情報を特定する手段と、
前記特定された医薬品の情報を前記端末に表示させる手段と
をさらに備えたことを特徴とする服薬情報提供装置。
【請求項１５】
患者を識別する患者識別子と、医療機関識別子と、前記患者に対して調剤された医薬品の情報とを対応付けて記憶した記憶手段と、
前記記憶手段から、同一の患者識別子に対応付けられた所定の期間内の医薬品の情報を取得する取得手段と、
前記取得された服薬情報に含まれた医薬品について、異なる医療機関において処方された医薬品の重複を判定する判定手段と、
前記判定手段による判定の結果を出力する出力手段と
を備え、
前記記憶手段は前記医薬品の作用時間の情報をさらに記憶し、前記判定手段は、前記作用時間に基づいて前記医薬品の重複を判定することを特徴とする服薬情報提供装置。
【請求項１６】
患者を識別する患者識別子と、医療機関識別子と、前記患者に対して調剤された医薬品の情報とを関連付けて記憶した記憶手段と、
前記記憶手段から、同一の患者識別子に関連付けられた所定の期間内の医薬品の情報および前記医薬品を処方した医療機関の情報を取得する取得手段と、
前記取得手段により取得された服薬情報に含まれた医薬品について、異なる医療機関において処方された医薬品の重複を判定する判定手段と、
前記取得手段により取得された医薬品の情報および医療機関の情報を含む服薬情報を端末へ送信する送信手段であって、前記服薬情報は前記医薬品の重複の判定結果を含む、送信手段と、
前記患者識別子に対応する患者から聞き取った情報に基づいて編集された前記服薬情報を前記端末から受信する受信手段と、
前記服薬情報に基づいて、前記医療機関ごとに、前記医療機関が処方した医薬品の情報及び前記患者から聞き取った情報を含む服薬状況レポートを生成する生成手段と
を備え、
前記記憶手段は、前記医薬品の情報と傷病名の情報とを対応付けた第１の情報と、前記患者の傷病名と診療開始日とを対応付けた第２の情報とをさらに記憶しており、
前記取得された服薬情報に含まれた医薬品について、異なる医療機関において処方された医薬品の重複を判定する判定手段と、
前記判定手段により重複すると判定された医薬品の情報に対応する傷病名の情報を、前記第１の情報に基づいて特定する傷病名特定手段と、
前記傷病名特定手段により特定された傷病名に対応する診療開始日を、前記第２の情報に基づいて特定する診療開始日特定手段と、
前記重複すると判定された医薬品を処方した医療機関のうち、最先の診療開始日に対応する医療機関以外の医療機関に対し、前記重複すると判定された医薬品の処方を中止するよう通知する手段と
をさらに備えることを特徴とする服薬情報提供装置。
【請求項１７】
患者を識別する患者識別子と、医療機関識別子と、前記患者に対して調剤された医薬品の情報とを関連付けて記憶した記憶手段と、
前記記憶手段から、同一の患者識別子に関連付けられた所定の期間内の医薬品の情報および前記医薬品を処方した複数の医療機関の情報を取得する取得手段と、
前記取得手段により取得された医薬品の情報および複数の医療機関の情報を含む服薬情報を、前記医薬品を処方した医療機関ごとにグループ化して表示する表示手段と、
前記患者識別子に対応する患者から聞き取った情報に基づいて前記表示手段に表示された服薬情報を前記医療機関ごとに編集する編集手段と、
前記編集手段により編集された服薬情報に基づいて、前記医療機関ごとに、前記医療機関が処方した医薬品の情報及び前記患者から聞き取った情報を含む服薬状況レポートを生成する生成手段と
を備えたことを特徴とする服薬情報提供装置。
【請求項１８】
前記取得手段は、前記患者識別子から、前記医薬品の情報および前記医療機関の情報の少なくとも一部を取得することを特徴とする請求項１ないし１７のいずれかに記載の服薬情報提供装置。
【請求項１９】
患者を識別する患者識別子と、医療機関識別子と、前記患者に対して調剤された医薬品の情報とを関連付けて記憶部に記憶した記憶手段とを備えたコンピュータにより実行される服薬情報提供方法であって、
前記記憶手段から、同一の患者識別子に関連付けられた所定の期間内の医薬品の情報および前記医薬品を処方した複数の医療機関の情報を取得するステップと、
前記取得された医薬品の情報および複数の医療機関の情報を含む服薬情報を端末へ送信し、前記医薬品の情報を、前記医薬品を処方した医療機関ごとにグループ化して表示させるステップと、
前記患者識別子に対応する患者から聞き取った情報に基づいて前記医療機関ごとに編集された前記服薬情報を前記端末から受信するステップと、
前記編集された服薬情報に基づいて、前記医療機関ごとに、前記医療機関が処方した医薬品の情報及び前記患者から聞き取った情報を含む服薬状況レポートを生成するステップと
を備えたことを特徴とする服薬情報提供方法。
【請求項２０】
患者を識別する患者識別子と、医療機関識別子と、前記患者に対して調剤された医薬品の情報とを関連付けて記憶部に記憶した記憶手段とを備えたコンピュータにより実行される服薬情報提供方法であって、
前記記憶手段から、同一の患者識別子に関連付けられた所定の期間内の医薬品の情報および前記医薬品を処方した医療機関の情報を取得するステップと、
前記取得された医薬品の情報および医療機関の情報を含む服薬情報を端末へ送信するステップと、
前記患者識別子に対応する患者から聞き取った情報に基づいて編集された前記服薬情報を前記端末から受信するステップと、
前記服薬情報に基づいて、前記医療機関ごとに、前記医療機関が処方した医薬品の情報及び前記患者から聞き取った情報を含む服薬状況レポートを生成するステップと
を備え、
前記編集された前記服薬情報は、前記患者識別子に対応する患者から聞き取った自覚症状のある副作用の情報を含み、
前記同一の患者識別子に関連付けられた所定の期間内の医薬品の情報のうちから、自覚症状のある副作用に対応する医薬品の情報を特定するステップと、
前記特定された医薬品の情報を前記端末に表示させるステップと
をさらに備えたことを特徴とする服薬情報提供方法。
【請求項２１】
患者を識別する患者識別子と、医療機関識別子と、前記患者に対して調剤された医薬品の情報とを対応付けて記憶した記憶手段とを備えたコンピュータにより実行される服薬情報提供方法であって、
前記記憶手段から、同一の患者識別子に対応付けられた所定の期間内の医薬品の情報を取得するステップと、
前記取得された服薬情報に含まれた医薬品について、異なる医療機関において処方された医薬品の重複を判定するステップと、
前記判定の結果を出力するステップと
を備え、
前記医薬品の情報は作用時間の情報を含み、前記判定するステップは、前記作用時間に基づいて前記医薬品の重複を判定することを特徴とする服薬情報提供方法。
【請求項２２】
患者を識別する患者識別子と、医療機関識別子と、前記患者に対して調剤された医薬品の情報とを関連付けて記憶部に記憶した記憶手段とを備えたコンピュータにより実行される服薬情報提供方法であって、
前記記憶手段から、同一の患者識別子に関連付けられた所定の期間内の医薬品の情報および前記医薬品を処方した医療機関の情報を取得するステップと、
前記取得手段により取得された服薬情報に含まれた医薬品について、異なる医療機関において処方された医薬品の重複を判定するステップと、
前記取得された医薬品の情報および医療機関の情報を含む服薬情報を端末へ送信するステップであって、前記服薬情報は前記医薬品の重複の判定結果を含む、ステップと、
前記患者識別子に対応する患者から聞き取った情報に基づいて編集された前記服薬情報を前記端末から受信するステップと、
前記服薬情報に基づいて、前記医療機関ごとに、前記医療機関が処方した医薬品の情報及び前記患者から聞き取った情報を含む服薬状況レポートを生成するステップと
を備え、
前記記憶手段は、前記医薬品の情報と傷病名の情報とを対応付けた第１の情報と、前記患者の傷病名と診療開始日とを対応付けた第２の情報とをさらに記憶しており、
前記重複すると判定された医薬品の情報に対応する傷病名の情報を、前記第１の情報に基づいて特定するステップと、
前記特定された傷病名に対応する診療開始日を、前記第２の情報に基づいて特定するステップと、
前記重複すると判定された医薬品を処方した医療機関のうち、最先の診療開始日に対応する医療機関以外の医療機関に対し、前記重複すると判定された医薬品の処方を中止するよう通知するステップと
をさらに備えたことを特徴とする服薬情報提供方法。
【請求項２３】
患者を識別する患者識別子と、医療機関識別子と、前記患者に対して調剤された医薬品の情報とを関連付けて記憶した記憶手段とを備えたコンピュータにより実行される服薬情報提供方法であって、
前記記憶手段から、同一の患者識別子に関連付けられた所定の期間内の医薬品の情報および前記医薬品を処方した複数の医療機関の情報を取得するステップと、
前記取得された医薬品の情報および複数の医療機関の情報を含む服薬情報を、前記医薬品を処方した医療機関ごとにグループ化して表示するステップと、
前記患者識別子に対応する患者から聞き取った情報に基づいて前記表示された服薬情報を前記医療機関ごとに編集するステップと、
前記編集された服薬情報に基づいて、前記医療機関ごとに、前記医療機関が処方した医薬品の情報及び前記患者から聞き取った情報を含む服薬状況レポートを生成するステップと
を備えたことを特徴とする服薬情報提供方法。
【請求項２４】
前記取得するステップは、前記患者識別子から、前記医薬品の情報および前記医療機関の情報の少なくとも一部を取得することを特徴とする請求項１９ないし２３のいずれかに記載の服薬情報提供方法。
【請求項２５】
患者を識別する患者識別子を入力する入力手段と、
前記入力手段により入力された患者識別子を服薬情報提供装置に送信する送信手段と、
前記服薬情報提供装置から、前記患者識別子に関連付けられた所定の期間内の医薬品の情報および前記医薬品を処方した複数の医療機関の情報を含む服薬情報を受信する受信手段と、
前記受信手段により受信された服薬情報を表示する表示手段であって、前記服薬情報の表示は、前記医薬品の情報を、前記医薬品を処方した医療機関ごとにグループ化して表示することを含む、表示手段と、
前記患者から聞き取った情報に基づいて前記表示手段に表示された服薬情報を前記医療機関ごとに編集する編集手段と
を備えたことを特徴とする端末。
【請求項２６】
前記編集手段により編集された前記服薬情報は、前記医療機関に対するコメントを含むことを特徴とする請求項２５に記載の端末。
【請求項２７】
コンピュータにより実行される服薬情報編集方法であって、
患者を識別する患者識別子を入力するステップと、
前記入力された患者識別子を服薬情報提供装置に送信するステップと、
前記服薬情報提供装置から、前記患者識別子に関連付けられた所定の期間内の医薬品の情報および前記医薬品を処方した複数の医療機関の情報を含む服薬情報を受信するステップと、
前記受信された服薬情報を表示手段に表示するステップであって、前記服薬情報の表示は、前記医薬品の情報を、前記医薬品を処方した医療機関ごとにグループ化して表示することを含む、ステップと、
前記患者から聞き取った情報に基づいて前記表示手段に表示された服薬情報を前記医療機関ごとに編集するステップと
を備えたことを特徴とする服薬情報編集方法。
【請求項２８】
コンピュータを、請求項１ないし１８のいずれかに記載の服薬情報提供装置として機能させるためのコンピュータプログラム。
【請求項２９】
コンピュータを、請求項２５ないし２６のいずれかに記載の端末として機能させるためのコンピュータプログラム。
【発明の詳細な説明】
【技術分野】
【０００１】
本発明は、服薬情報提供装置、服薬情報提供方法、およびコンピュータプログラムに関し、特に、医科レセプト、調剤レセプト、または歯科レセプト等のレセプトに基づいて服薬状況の情報を提供する服薬情報提供装置、服薬情報提供方法、端末、服薬情報編集方法およびコンピュータプログラムに関する。
【背景技術】
【０００２】
健康寿命の延伸、医療費適正化の観点から、医療の分野において多剤併用が大きな問題となっている。多剤併用により、薬物相互作用および薬物有害事象が増加し、患者のＱＯＬ（Ｑｕａｌｉｔｙ  Ｏｆ  Ｌｉｆｅ）の低下、薬剤によって生じる有害事象、二次的に発生する疾病、不必要な医療費の発生等が生じる。
【０００３】
上記に加えて、多剤併用状態においては、薬物相互作用や薬物有害事象により生じた副作用等を、他の薬剤によって治療するといういわゆる処方カスケードが発生し、更なる多剤併用状態を発生させるリスクさえある。
【０００４】
多剤併用を解消する手段として、医薬分業およびお薬手帳の使用が進められてきた。従来から知られているお薬手帳は、患者が使用している医薬品の名称・量・日数・使用法などを記録しているため、お薬手帳に記載された医薬品の服用履歴の情報から多剤併用状態を確認することができる。例えば、パーソナルコンピュータ等に表示される電子版お薬手帳を見て、患者が過去に服用した薬や、以前に出した処方箋の内容がどのように変更されたのか等の情報を得ることができる。現在では、これまでの薬局により発行される紙媒体のお薬手帳に代わり、服薬履歴情報を電子データ化して記録する電子版お薬手帳も普及しつつある。また、先発医薬品と後発医薬品のように同じ成分を含む薬品が処方されたかを確認するシステムが提案されている（例えば、特許文献１参照）。
【先行技術文献】
【特許文献】
【０００５】
【特許文献１】特開２０１０−１６５１５９号公報
【特許文献２】特許第４３１２７５７号明細書
【発明の概要】
【発明が解決しようとする課題】
【０００６】
しかしながら、お薬手帳では、以下のような理由により多剤併用状態の解消に必要な情報が十分に得られないという問題がある。すなわち、患者によってはお薬手帳を複数所持している場合もあり、調剤薬局は当該患者から提示されるお薬手帳から十分な情報を得ることができない。また、お薬手帳に掲載される情報は、保険薬局にて処方された医薬品に限られていることがあり、保健医療機関窓口で受け取る医薬品である院内処方(医科外来)分は掲載されないことが多数ある。従って、従来の薬品情報の提供方法であるお薬手帳では、患者の服薬状況に関する情報を一元的に集約してかかりつけ医や処方医等に提供するには不完全であるという問題があった。
【０００７】
また、一元的に管理された服薬履歴情報を活用して、患者の受療している医療や服薬している医薬品を一元的に情報提供し、かかりつけ医や処方医の業務を支援することが望まれている。
【０００８】
本発明はこのような問題に鑑みてなされたものであり、その目的とするところは、患者に処方された薬剤の情報および患者の全ての服薬状況に関する情報を一元的かつ総合的に管理し薬剤師や医師等に提供することができる服薬情報提供装置、服薬情報提供方法、およびコンピュータプログラムを提供することにある。
【課題を解決するための手段】
【０００９】
上記の課題を解決するために、本発明は、患者を識別する患者識別子と、医療機関識別子と、前記患者に対して調剤された医薬品の情報とを関連付けて記憶した記憶手段と、前記記憶手段から、同一の患者識別子に関連付けられた所定の期間内の医薬品の情報および前記医薬品を処方した複数の医療機関の情報を取得する取得手段と、前記取得手段により取得された医薬品の情報および複数の医療機関の情報を含む服薬情報を端末へ送信し、前記医薬品の情報を、前記医薬品を処方した医療機関ごとにグループ化して表示させる送信手段と、前記患者識別子に対応する患者から聞き取った情報に基づいて前記医療機関ごとに編集された前記服薬情報を前記端末から受信する受信手段と、前記編集された服薬情報に基づいて、前記医療機関ごとに、前記医療機関が処方した医薬品の情報及び前記患者から聞き取った情報を含む服薬状況レポートを生成する生成手段とを備えたことを特徴とする服薬情報提供装置を提供する。
【００１０】
ここで、前記編集された前記服薬情報は、前記患者識別子に対応する患者から聞き取った前記医薬品の残薬の情報を含むものとすることができる。
【００１１】
また、前記編集された前記服薬情報は、前記患者識別子に対応する患者から聞き取った自覚症状のある副作用の情報を含み、前記同一の患者識別子に関連付けられた所定の期間内の医薬品の情報のうちから、自覚症状のある副作用に対応する医薬品の情報を特定する手段と、前記特定された医薬品の情報を前記端末に表示させる手段とをさらに含むものとすることができる。
【００１２】
また、前記生成手段は前記服薬状況レポートに前記患者識別子に対応する患者から聞き取った自覚症状のある副作用の情報を含めて生成するものとすることができる。
【００１３】
また、前記取得された服薬情報に含まれた医薬品について、異なる医療機関において処方された医薬品の重複を判定する判定手段をさらに備え、前記送信手段は前記端末に前記医薬品の重複の判定結果を送信するものとすることができる。
【００１４】
また、前記記憶手段は、前記医薬品の情報と傷病名の情報とを対応付けた第１の情報と、前記患者の傷病名と診療開始日とを対応付けた第２の情報とをさらに記憶しており、
また、前記判定手段により重複すると判定された医薬品の情報に対応する傷病名の情報を、前記第１の情報に基づいて特定する傷病名特定手段と、前記傷病名特定手段により特定された傷病名に対応する診療開始日を、前記第２の情報に基づいて特定する診療開始日特定手段と、前記重複すると判定された医薬品を処方した医療機関のうち、最先の診療開始日に対応する医療機関以外の医療機関に対し、前記重複すると判定された医薬品の処方を中止するよう通知する手段とをさらに備えるものとすることができる。
【００１５】
また、前記生成手段は前記服薬状況レポートに前記医薬品の重複の判定結果の情報を含めて生成するものとすることができる。
【００１６】
また、前記取得された服薬情報に含まれた医薬品について、副作用を生じる医薬品の有無を判定する手段をさらに備え、前記送信手段は前記端末に前記副作用を生じる医薬品の有無の判定結果を送信するものとすることができる。
【００１７】
また、前記生成手段は前記服薬状況レポートに前記副作用を生じる医薬品の有無の判定結果の情報を含めて生成するものとすることができる。
また、前記取得された服薬情報に含まれた医薬品について、慎重な投与が必要な医薬品の有無を判定する手段をさらに備え、前記送信手段は前記端末に前記慎重な投与が必要な医薬品の有無の判定結果を送信するものとすることができる。
【００１８】
また、前記生成手段は前記服薬状況レポートに前記慎重な投与が必要な医薬品の有無の判定結果の情報を含めて生成するものとすることができる。
【００１９】
また、前記取得された服薬情報に含まれた医薬品について、相互作用を生じる医薬品の有無を判定する手段をさらに備え、前記送信手段は前記端末に前記相互作用を生じる医薬品の有無の判定結果を送信するものとすることができる。
【００２０】
また、前記生成手段は前記服薬状況レポートに前記相互作用を生じる医薬品の有無の判定結果の情報を含めて生成するものとすることができる。
【００２１】
本発明の他の態様によれば、本発明に係る服薬情報提供装置は、患者を識別する患者識別子と、医療機関識別子と、前記患者に対して調剤された医薬品の情報とを関連付けて記憶した記憶手段と、前記記憶手段から、同一の患者識別子に関連付けられた所定の期間内の医薬品の情報および前記医薬品を処方した医療機関の情報を取得する取得手段と、
前記取得手段により取得された医薬品の情報および医療機関の情報を含む服薬情報を端末へ送信する送信手段と、前記患者識別子に対応する患者から聞き取った情報に基づいて編集された前記服薬情報を前記端末から受信する受信手段と、前記服薬情報に基づいて、前記医療機関ごとに、前記医療機関が処方した医薬品の情報及び前記患者から聞き取った情報を含む服薬状況レポートを生成する生成手段とを備え、前記編集された前記服薬情報は、前記患者識別子に対応する患者から聞き取った自覚症状のある副作用の情報を含み、前記同一の患者識別子に関連付けられた所定の期間内の医薬品の情報のうちから、自覚症状のある副作用に対応する医薬品の情報を特定する手段と、前記特定された医薬品の情報を前記端末に表示させる手段とをさらに備える。
【００２２】
本発明の他の態様によれば、本発明に係る服薬情報提供装置は、患者を識別する患者識別子と、医療機関識別子と、前記患者に対して調剤された医薬品の情報とを対応付けて記憶した記憶手段と、前記記憶手段から、同一の患者識別子に対応付けられた所定の期間内の医薬品の情報を取得する取得手段と、前記取得された服薬情報に含まれた医薬品について、異なる医療機関において処方された医薬品の重複を判定する判定手段と、前記判定手段による判定の結果を出力する出力手段とを備え、前記記憶手段は前記医薬品の作用時間の情報をさらに記憶し、前記判定手段は、前記作用時間に基づいて前記医薬品の重複を判定する。
【００２３】
本発明の他の態様によれば、本発明に係る服薬情報提供装置は、患者を識別する患者識別子と、医療機関識別子と、前記患者に対して調剤された医薬品の情報とを関連付けて記憶した記憶手段と、前記記憶手段から、同一の患者識別子に関連付けられた所定の期間内の医薬品の情報および前記医薬品を処方した医療機関の情報を取得する取得手段と、前記取得手段により取得された服薬情報に含まれた医薬品について、異なる医療機関において処方された医薬品の重複を判定する判定手段と、前記取得手段により取得された医薬品の情報および医療機関の情報を含む服薬情報を端末へ送信する送信手段であって、前記服薬情報は前記医薬品の重複の判定結果を含む、送信手段と、前記患者識別子に対応する患者から聞き取った情報に基づいて編集された前記服薬情報を前記端末から受信する受信手段と、前記服薬情報に基づいて、前記医療機関ごとに、前記医療機関が処方した医薬品の情報及び前記患者から聞き取った情報を含む服薬状況レポートを生成する生成手段とを備え、前記記憶手段は、前記医薬品の情報と傷病名の情報とを対応付けた第１の情報と、前記患者の傷病名と診療開始日とを対応付けた第２の情報とをさらに記憶しており、前記取得された服薬情報に含まれた医薬品について、異なる医療機関において処方された医薬品の重複を判定する判定手段と、前記判定手段により重複すると判定された医薬品の情報に対応する傷病名の情報を、前記第１の情報に基づいて特定する傷病名特定手段と、前記傷病名特定手段により特定された傷病名に対応する診療開始日を、前記第２の情報に基づいて特定する診療開始日特定手段と、前記重複すると判定された医薬品を処方した医療機関のうち、最先の診療開始日に対応する医療機関以外の医療機関に対し、前記重複すると判定された医薬品の処方を中止するよう通知する手段とをさらに備える。
【００２４】
本発明の他の態様によれば、本発明に係る服薬情報提供装置は、患者を識別する患者識別子と、医療機関識別子と、前記患者に対して調剤された医薬品の情報とを関連付けて記憶した記憶手段と、前記記憶手段から、同一の患者識別子に関連付けられた所定の期間内の医薬品の情報および前記医薬品を処方した複数の医療機関の情報を取得する取得手段と、前記取得手段により取得された医薬品の情報および複数の医療機関の情報を含む服薬情報を、前記医薬品を処方した医療機関ごとにグループ化して表示する表示手段と、前記患者識別子に対応する患者から聞き取った情報に基づいて前記表示手段に表示された服薬情報を前記医療機関ごとに編集する編集手段と、前記編集手段により編集された服薬情報に基づいて、前記医療機関ごとに、前記医療機関が処方した医薬品の情報及び前記患者から聞き取った情報を含む服薬状況レポートを生成する生成手段とを備える。
【００２５】
ここで、前記取得手段は、前記患者識別子から、前記医薬品の情報および前記医療機関の情報の少なくとも一部を取得するものとすることができる。
患者を識別する患者識別子と、医療機関識別子と、前記患者に対して調剤された医薬品の情報とを関連付けて記憶部に記憶した記憶手段とを備えたコンピュータにより実行される服薬情報提供方法であって、前記記憶手段から、同一の患者識別子に関連付けられた所定の期間内の医薬品の情報および前記医薬品を処方した複数の医療機関の情報を取得するステップと、前記取得された医薬品の情報および複数の医療機関の情報を含む服薬情報を端末へ送信し、前記医薬品の情報を、前記医薬品を処方した医療機関ごとにグループ化して表示させるステップと、前記患者識別子に対応する患者から聞き取った情報に基づいて前記医療機関ごとに編集された前記服薬情報を前記端末から受信するステップと、
前記編集された服薬情報に基づいて、前記医療機関ごとに、前記医療機関が処方した医薬品の情報及び前記患者から聞き取った情報を含む服薬状況レポートを生成するステップとを備えたことを特徴とする服薬情報提供方法。
【００２６】
本発明の他の態様によれば、本発明に係る服薬情報提供方法は、患者を識別する患者識別子と、医療機関識別子と、前記患者に対して調剤された医薬品の情報とを関連付けて記憶部に記憶した記憶手段とを備えたコンピュータにより実行される服薬情報提供方法であって、前記記憶手段から、同一の患者識別子に関連付けられた所定の期間内の医薬品の情報および前記医薬品を処方した医療機関の情報を取得するステップと、前記取得された医薬品の情報および医療機関の情報を含む服薬情報を端末へ送信するステップと、前記患者識別子に対応する患者から聞き取った情報に基づいて編集された前記服薬情報を前記端末から受信するステップと、前記服薬情報に基づいて、前記医療機関ごとに、前記医療機関が処方した医薬品の情報及び前記患者から聞き取った情報を含む服薬状況レポートを生成するステップとを備え、前記編集された前記服薬情報は、前記患者識別子に対応する患者から聞き取った自覚症状のある副作用の情報を含み、前記同一の患者識別子に関連付けられた所定の期間内の医薬品の情報のうちから、自覚症状のある副作用に対応する医薬品の情報を特定するステップと、前記特定された医薬品の情報を前記端末に表示させるステップとをさらに備える。
【００２７】
本発明の他の態様によれば、本発明に係る服薬情報提供方法は、患者を識別する患者識別子と、医療機関識別子と、前記患者に対して調剤された医薬品の情報とを対応付けて記憶した記憶手段とを備えたコンピュータにより実行される服薬情報提供方法であって、前記記憶手段から、同一の患者識別子に対応付けられた所定の期間内の医薬品の情報を取得するステップと、前記取得された服薬情報に含まれた医薬品について、異なる医療機関において処方された医薬品の重複を判定するステップと、前記判定の結果を出力するステップとを備え、前記医薬品の情報は作用時間の情報を含み、前記判定するステップは、前記作用時間に基づいて前記医薬品の重複を判定する。
【００２８】
本発明の他の態様によれば、本発明に係る服薬情報提供方法は、患者を識別する患者識別子と、医療機関識別子と、前記患者に対して調剤された医薬品の情報とを関連付けて記憶部に記憶した記憶手段とを備えたコンピュータにより実行される服薬情報提供方法であって、前記記憶手段から、同一の患者識別子に関連付けられた所定の期間内の医薬品の情報および前記医薬品を処方した医療機関の情報を取得するステップと、前記取得手段により取得された服薬情報に含まれた医薬品について、異なる医療機関において処方された医薬品の重複を判定するステップと、前記取得された医薬品の情報および医療機関の情報を含む服薬情報を端末へ送信するステップであって、前記服薬情報は前記医薬品の重複の判定結果を含む、ステップと、前記患者識別子に対応する患者から聞き取った情報に基づいて編集された前記服薬情報を前記端末から受信するステップと、前記服薬情報に基づいて、前記医療機関ごとに、前記医療機関が処方した医薬品の情報及び前記患者から聞き取った情報を含む服薬状況レポートを生成するステップとを備え、前記記憶手段は、前記医薬品の情報と傷病名の情報とを対応付けた第１の情報と、前記患者の傷病名と診療開始日とを対応付けた第２の情報とをさらに記憶しており、前記重複すると判定された医薬品の情報に対応する傷病名の情報を、前記第１の情報に基づいて特定するステップと、前記特定された傷病名に対応する診療開始日を、前記第２の情報に基づいて特定するステップと、前記重複すると判定された医薬品を処方した医療機関のうち、最先の診療開始日に対応する医療機関以外の医療機関に対し、前記重複すると判定された医薬品の処方を中止するよう通知するステップとをさらに備える。
【００２９】
本発明の他の態様によれば、本発明に係る服薬情報提供方法は、患者を識別する患者識別子と、医療機関識別子と、前記患者に対して調剤された医薬品の情報とを関連付けて記憶した記憶手段とを備えたコンピュータにより実行される服薬情報提供方法であって、前記記憶手段から、同一の患者識別子に関連付けられた所定の期間内の医薬品の情報および前記医薬品を処方した複数の医療機関の情報を取得するステップと、前記取得された医薬品の情報および複数の医療機関の情報を含む服薬情報を、前記医薬品を処方した医療機関ごとにグループ化して表示するステップと、前記患者識別子に対応する患者から聞き取った情報に基づいて前記表示された服薬情報を前記医療機関ごとに編集するステップと、前記編集された服薬情報に基づいて、前記医療機関ごとに、前記医療機関が処方した医薬品の情報及び前記患者から聞き取った情報を含む服薬状況レポートを生成するステップとを備える。
【００３０】
本発明の他の態様によれば、本発明に係る服薬情報提供方法は、前記取得するステップは、前記患者識別子から、前記医薬品の情報および前記医療機関の情報の少なくとも一部を取得するものとすることができる。
【００３１】
本発明の他の態様によれば、本発明に係る端末は、患者を識別する患者識別子を入力する入力手段と、前記入力手段により入力された患者識別子を服薬情報提供装置に送信する送信手段と、前記服薬情報提供装置から、前記患者識別子に関連付けられた所定の期間内の医薬品の情報および前記医薬品を処方した複数の医療機関の情報を含む服薬情報を受信する受信手段と、前記受信手段により受信された服薬情報を表示する表示手段であって、前記服薬情報の表示は、前記医薬品の情報を、前記医薬品を処方した医療機関ごとにグループ化して表示することを含む、表示手段と、前記患者から聞き取った情報に基づいて前記表示手段に表示された服薬情報を前記医療機関ごとに編集する編集手段とを備える。
【００３２】
ここで、前記編集手段により編集された前記服薬情報は、前記医療機関に対するコメントを含むものとすることができる。
【００３３】
本発明の他の態様によれば、本発明に係る服薬情報編集方法は、コンピュータにより実行される服薬情報編集方法であって、患者を識別する患者識別子を入力するステップと、前記入力された患者識別子を服薬情報提供装置に送信するステップと、前記服薬情報提供装置から、前記患者識別子に関連付けられた所定の期間内の医薬品の情報および前記医薬品を処方した複数の医療機関の情報を含む服薬情報を受信するステップと、前記受信された服薬情報を表示手段に表示するステップであって、前記服薬情報の表示は、前記医薬品の情報を、前記医薬品を処方した医療機関ごとにグループ化して表示することを含む、ステップと、前記患者から聞き取った情報に基づいて前記表示手段に表示された服薬情報を前記医療機関ごとに編集するステップとを備える。
【００３４】
本発明の他の態様によれば、本発明に係るコンピュータプログラムは、コンピュータを上記の服薬情報提供装置として機能させる。
【００３５】
本発明の他の態様によれば、本発明に係るコンピュータプログラムは、コンピュータを上記の端末として機能させる。
【発明の効果】
【００３６】
本発明によれば、記憶手段から、指定された患者識別子に関連付けられた所定の期間内の医薬品の情報および医薬品を処方した医療機関の情報を取得し、取得された医薬品の情報および医療機関の情報を含む服薬情報を端末へ送信し、端末から、編集された服薬情報を受信し、編集された服薬情報は、患者識別子に対応する患者から聞き取った情報を含み、服薬情報に基づいて、医療機関ごとに、医療機関が処方した医薬品の情報及び患者から聞き取った情報を含む服薬状況レポートを生成するので、処方された医薬品に関する最近の情報を適切に医療機関ごとに提示することが可能となる。
【００３７】
また、患者に処方される多様な医薬品の情報を一元的に管理することにより、患者の最近の状況を確認することができ、医療機関において患者の状況に応じた対処が可能となる。
【００３８】
さらに、医療機関の業務を効果的に支援することが可能となる。
【図面の簡単な説明】
【００３９】
【図１】本発明の実施形態に係る服薬情報提供システムの全体像を概略的に示す図である。
【図２】本発明の実施形態に係る服薬情報提供装置の機能構成を概略的に示す機能ブロック図である。
【図３】レセプトＤＢに記憶される医科レセプトデータの例を示す図である。
【図４】レセプトＤＢに記憶される調剤レセプトデータの例を示す図である。
【図５】患者ＤＢに記憶される患者データの例を示す図である。
【図６】医療機関マスタに記憶されるデータの例を示す図であり、（ａ）は病院医療機関データ、（ｂ）は薬局医療機関データの例を示す図である。
【図７】医薬品マスタに記録される医薬品データの例を示す図である。
【図８】傷病名マスタに記録される傷病名データの例を示す図である。
【図９】本実施形態に係る服薬情報提供システムにより実行される方法の手順を示すフローチャートである。
【図１０】服薬情報提供装置により実行される方法の手順を示すフローチャートである。
【図１１】医薬品の判定処理の手順を示すフローチャートである。
【図１２】類似医薬品マスタに含まれる類似医薬品データの例を示す図である。
【図１３】医薬品の重複の確認処理の手順を示すフローチャートである。
【図１４】相互作用マスタに含まれる相互作用データの例を示す図である。
【図１５】相互作用の判定処理の手順を示すフローチャートである。
【図１６】慎重投与マスタに含まれる慎重投与データの例を示す図である。
【図１７】慎重投与の判定処理の手順を示すフローチャートである。
【図１８】副作用マスタに含まれる副作用データの例を示す図である。
【図１９】副作用の判定処理の手順を示すフローチャートである。
【図２０】薬局用端末に表示される画面の例を示す図である。
【図２１】薬局用端末に表示される画面の例を示す図である。
【図２２】薬局用端末に表示される画面の例を示す図である。
【図２３】薬局用端末に表示される画面の例を示す図である。
【図２４】薬局用端末に表示される画面の例を示す図である。
【図２５】薬局用端末に表示される画面の例を示す図である。
【図２６】診療開始日を特定する方法の例を示す図である。
【図２７】症状マスタに含まれる症状データの例を示す図である。
【図２８】医科レセプトデータに含まれるデータの例を示す図である。
【図２９】医薬品コードに対応する診療開始日を特定する手順を説明する図である。
【図３０】薬局用端末に表示される画面の例を示す図である。
【図３１】薬局用端末に表示される画面の例を示す図である。
【図３２】薬局用端末に表示される画面の例を示す図である。
【図３３】服薬状況レポートの例を示す図である。
【図３４】医薬品の判定処理の手順を示すフローチャートである。
【図３５】医薬品データの構造の例を示す図である。
【図３６】医薬品データの構造の例を示す図である。
【図３７】医薬品データの構造の例を示す図である。
【図３８】本発明の実施形態に係る服薬情報提供システムの全体像を概略的に示す図である。
【図３９】本発明の実施形態に係る服薬情報提供システムの全体像を概略的に示す図である。
【図４０】本発明の実施形態に係る服薬情報提供システムの全体像を概略的に示す図である。
【図４１】自覚症状に関連する医薬品の判定処理の手順を示すフローチャートである。
【図４２】本発明の実施形態に係る服薬情報提供システムの全体像を概略的に示す図である。
【発明を実施するための形態】
【００４０】
以下、図面を参照し、本発明の実施の形態について、詳細に説明する。
【００４１】
(第１実施形態)
図１は、本発明の実施形態に係る服薬情報提供システム１００の全体像を概略的に示す図である。
【００４２】
同図に示すように、本実施形態に係る服薬情報提供システム１００は、保険者サーバ１０２と、審査支払機関サーバ１０３と、服薬情報提供装置１０４と、医師用端末１１４とを含む。
【００４３】
保険者サーバ１０２は、市町村や健康保険組合等の保険者によって操作および管理されるサーバコンピュータであり、審査支払機関から提供されるレセプト（診療報酬明細書）の情報を記憶し、その管理を行う。
【００４４】
ここで、「レセプト」とは、患者が受けた保険診療に対して医療機関が作成する医療報酬の明細書であり、医科により作成される医科レセプト、歯科により作成される歯科レセプト、薬局による調剤に応じて作成される調剤レセプト、傷病名と診療行為との組み合わせの分類をもとに１日当たりの包括診療部分の医療費が決められる計算方式に基づくＤＰＣレセプトを含むことができる。
【００４５】
また、「医療機関」とは、保険診療を行う医科および歯科、ならびに医療機関が発行した処方箋に基づいて医薬品の調剤を行う保険薬局を含むことができる。
【００４６】
また、「審査支払機関」とは、支払基金と国保中央会とを含む。
【００４７】
服薬情報提供装置１０４は、保険者サーバ１０２または審査支払機関サーバ１０３に記憶されたレセプトの情報に基づいて服薬状況レポート１１２を作成するサーバコンピュータである。保険者サーバ１０２または審査支払機関サーバ１０３に記憶されたレセプトの情報は、服薬情報提供装置１０４のオペレータに郵送で提供され、オペレータにより服薬情報提供装置１０４に入力される。あるいは、服薬情報提供装置１０４は総合行政ネットワーク（ＬＧＷＡＮ）に接続され、当該ＬＧＷＡＮを介して保険者サーバ１０２または審査支払機関サーバ１０３からレセプトの情報を受信する。ここで、「服薬」とは医薬品を服用することを意味し、内服薬と外用薬の服用のいずれをも含む。服薬状況レポートは画像データとして生成され、紙等の印刷媒体に印刷して、例えば薬剤を処方したかかりつけの医師１０８に郵送される。あるいは、服薬状況レポートは被保険者である患者に提供してもよい。また、服薬状況レポートの画像データは、医師１０８の所有する医師用端末１１４に表示のために送信してもよく、さらには調剤薬局の薬局用端末１１０に表示のために提供することとしても良い。
【００４８】
審査支払機関サーバ１０３は、審査支払機関（社会保険診療報酬支払基金（支払基金）または国民健康保険団体連合会（国保連））によって操作および管理されるサーバコンピュータであり、医療機関から提供されるレセプトの情報を記憶し、その管理を行う。審査支払機関サーバ１０３は、ＬＧＷＡＮを通じて保険者サーバ１０２および服薬情報提供装置１０４に接続される。服薬情報提供装置１０４は服薬情報分析サーバ１１８および服薬情報提供サーバ１２０を含んでいる。服薬情報分析サーバ１１８は後述する医薬品の重複判定等の分析処理を行う。服薬情報提供サーバ１２０は後述する服薬状況レポートの生成や薬局用端末１１０へ提供する画面の生成等を行う。
【００４９】
薬局用端末１１０は薬剤師１１５により操作されるコンピュータであり、例えば患者からヒアリングした情報や患者から提示される患者識別子１１７が入力される。薬局用端末１１０に入力された情報は服薬情報提供装置１０４に送信され得る。
【００５０】
ここで、患者識別子１１７は２次元バーコードにより構成して患者に提供することとしてもよい。例えば、患者識別子１１７は、保険者等から患者に提供される通知書１１６に含めておくことができる。この場合、通知書１１６は患者ごとに服薬情報を記載した服薬情報通知書とすることができる。通知書１１６を受け取った患者は、薬局で当該通知書を提示し、薬局では当該通知書内の患者識別子１１７をバーコードリーダ等の入力手段により読み取って、薬局用端末に入力することとしてもよい。
【００５１】
あるいはまた、患者識別子１１７として個人識別コード等の他の識別情報を用いることとしてもよい。
【００５２】
薬局用端末１１０、医師用端末１１４、保険者サーバ１０２、服薬情報提供装置１０４の機能の全てまたは一部分は、本発明に係る服薬情報提供方法または服薬情報提供装置を実現するためのコンピュータプログラムをコンピュータ読み取り可能な記録媒体に記録して、この記録媒体に記録されたコンピュータプログラムをコンピュータシステムに読み込ませ、実行することとしてもよい。
【００５３】
ここで、「コンピュータシステム」は、単一のコンピュータによって実装しても良く、ネットワークに接続された複数のコンピュータによって実現することとしても良い。また、コンピュータ読取可能な記憶媒体は、揮発性および不揮発性のいずれの媒体をも含む。
【００５４】
図２は、本実施形態に係る服薬情報提供装置１０４の機能構成を概略的に示す機能ブロック図である。服薬情報提供装置１０４は、少なくとも、通信部２０２、レセプト取得部２０４、レポート作成部２０６、表示部２０８、入力部２１０、および記憶部２２４がバス２２８を介して電気的に接続され、種々の情報を相互に送受信することができるように構成されている。
【００５５】
通信部２０２は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット等の通信ネットワークに接続され、外部のコンピュータと情報の送受信を行うものである。
【００５６】
また、通信部２０２は、印刷装置に接続され、服薬情報提供装置１０４により作成された服薬状況レポートの画像データを当該印刷装置に送信し印刷させる機能を有する。通信部２０２は、具体的には所定の通信プロトコルに準拠した通信インタフェース等により構成される。
【００５７】
レセプト取得部２０４は、記憶部２２４からレセプトおよび当該レセプトに関連する種々の情報を取得するために構成される。
【００５８】
レポート作成部２０６は、レセプト取得部２０４により取得された情報に基づいて服薬状況レポートを作成するために構成される。
【００５９】
レセプト取得部２０４およびレポート作成部２０６は具体的には、演算処理装置として構成される。演算処理装置は、例えば、ＣＰＵ（Ｃｅｎｔｒａｌ  Ｐｒｏｃｅｓｓｉｎｇ  Ｕｎｉｔ）やＭＣＵ（Ｍｉｃｒｏ  Ｃｏｎｔｒｏｌ  Ｕｎｉｔ）等を含むことができるが、これらに限定されるものではない。
【００６０】
表示部２０８は、服薬情報提供装置１０４の演算処理装置により作成された画像を生成して表示するものであり、液晶ディスプレイ等により構成される。
【００６１】
入力部２１０はオペレータにより情報を入力するためのものであり、キーボード、マウス、タッチパネル・ディスプレイ等により構成される。
【００６２】
記憶部２２４は、種々のレセプトデータを記憶したレセプトＤＢ（Ｄａｔａ  Ｂａｓｅ）２１２、患者データを記憶した患者ＤＢ２１４、病院医療機関データおよび薬局医療機関データを記憶した医療機関マスタ２１６、医薬品データを記憶した医薬品マスタ２１８、傷病名データを記憶した傷病名マスタ２２０、症状ごとに一般名コードおよび分類コードを記憶した症状マスタ２３０、本発明に関わる機能を実現するためのコンピュータプログラムを記憶したプログラム記憶部２２２、および情報処理に用いられるデータを記憶するデータ記憶部２２６を含む。
【００６３】
以下、記憶部２２４に記憶されるデータの詳細について説明する。
【００６４】
図３は、レセプトＤＢ２１２に記憶される医科レセプトデータの例を示す図である。医科レセプトデータは、区分と、名称と、値とが対応付けられたデータである。
【００６５】
区分は、頭書き、傷病名、摘要の情報を含むことができる。
【００６６】
頭書きは、患者に関する情報であり、診療年月、都道府県コード、病院医療機関コード、点数表コード、保険種別、本人・家族、保険者番号、被保険者証記号、被保険者証番号、氏名、性別、生年、生月、生日を含むことができる。
【００６７】
診療年月は患者が診療を受けた年および月を示す。医薬品が病院内で調剤された場合には、診療年月が調剤を行った年月となる。
【００６８】
都道府県コードは医療機関の所在地である都道府県を識別する。
【００６９】
病院医療機関コードは、患者が診療を受けた医療機関を識別する。
【００７０】
点数表コードは点数の計算に用いる点数表の番号を示し、例えば 医科レセプトの場合は「１」、歯科レセプトの場合は「３」、調剤レセプトの場合は「４」である。同一の病院に医科と歯科が併存する場合は、それぞれ別のコードが与えられる。
【００７１】
保険種別は国民健康保険、後期高齢者医療等の保険の種別を特定する。
【００７２】
本人・家族、保険者番号、被保険者証記号、被保険者証番号、氏名、性別、生年、生月、生日は診療を受けた患者に関する個人の情報が記録される。
【００７３】
傷病名は、傷病名コードを含む。傷病名コードは、例えばレセプト電算処理用コードやＩＣＤ１０分類コードを含むことができる。
【００７４】
摘要は、算定日情報を含む診療行為レコード、医薬品レコード、特定器材レコード、コメントレコードから構成される。診療行為レコードは、患者が受けた診療の診療識別（診療識別コード）、診療行為コード、数量、点数、および回数等に関する情報を含む。ここで、医科レセプトの診療識別は、以下のコード番号と対応付けられている。
【００７５】
【表１】
2020042766.tif 000003
【００７６】
上記の表に示すように、診療識別の２０番台は院内処方が行われたことを示し、３０番台は医薬品の院内投与が行われたことを示す。また、診療識別の１４番は在宅患者訪問診療等を識別するものであり、２０番台と同様に院内処方に含めて分類することとしてもよい。本実施形態では、この診療識別を使用して院内処方、院内投与を判断するが、その具体的処理については後述する。
【００７７】
医薬品レコードは、診療識別、医薬品コード、使用量、点数、回数、算定日情報等を含む。ここで、算定日情報は、医薬品コードごとに、１日の情報から３１日までの情報が対応付けられている。日毎の情報は、医薬品コードに対応する医薬品を処方した回数が記録される。従って、医薬品レコードの医薬品コードに対応付けられた算定日情報を参照することにより、当該医薬品コードに対応する医薬品を処方した日を確認することができる。さらに、院内処方の場合は、医薬品を処方した日を調剤した日と判断することができる。
【００７８】
特定器材レコードは、診療識別、特定器材コード、使用量、点数、回数等に関する情報を含む。コメントレコードは、診療識別、コメントコード、文字データ等に関する情報を含む。摘要に含まれる種々のコードには、例えばレセプト電算処理用コードを使用することができる。
【００７９】
図４は、レセプトＤＢ２１２に記憶される調剤レセプトデータの例を示す図である。調剤レセプトのデータ構成は、区分「頭書き」については医科レセプトとほぼ同様であるが、処方箋を発行した病院等の病院医療機関コードに加えて薬局の薬局医療機関コードが設定される点、および区分「傷病名」が無い点において相違する。
【００８０】
また、区分「摘要」は、処方基本レコード、調剤情報レコード、医薬品レコード、特定器材レコード、コメントレコード、摘要欄レコード、基本料・薬学管理レコード、および分割技術料レコードから構成される。処方基本レコードには医薬品の剤形と用法に関する情報（剤形コード、用法コード等）が記録される。調剤情報レコードには処方月日、調剤月日、調剤数量、調剤行為コードが記録される。ここで、調剤行為コードには、かかりつけ薬剤師指導料・かかりつけ薬剤師包括管理料が含まれる。医薬品レコードには医薬品コード、使用量が記録される。特定器材レコードには特定器材の情報が記録される。コメントレコードにはコメントが記録される。摘要欄レコードには摘要情報が記録される。基本料・薬学管理料レコードには調剤基本料、薬学管理料が記録される。分割技術料レコードには、分割対象点数、分割技術料が記録される。
【００８１】
調剤情報レコードの処方月日は、医薬品が処方された月日を特定する。また、調剤月日は、医薬品が調剤された月日を特定する。従って、摘要の医薬品コードに対応付けられた調剤月日の情報を参照することにより、当該医薬品コードに対応する医薬品を調剤した日を確認することができる。
【００８２】
図５は、患者ＤＢ２１４に記憶される患者データの例を示す図である。同図に示すように、患者データは、被保険者証記号、被保険者証番号、および氏名が対応付けられている。被保険者証記号および被保険者証番号は、健康保険証に記載されている記号および番号である。氏名には患者の氏名の文字列が記録される。
【００８３】
図６は、医療機関マスタ２１６に記憶される病院医療機関データおよび薬局医療機関データの例を示す図である。病院医療機関データは、図６（ａ）に示すように、病院医療機関コードと病院名とが対応付けて記録される。病院医療機関コードは、診療を行う病院、診療所、及び歯科等の医療機関コードが記録される。病院名には、診療を行った医療機関の名称を示す文字列が記録される。薬局医療機関データは、図６（ｂ）に示すように、薬局医療機関コードと薬局名とが対応付けられている。薬局医療機関コードは調剤を行う薬局の医療機関コードが記録される。薬局名には、調剤を行った薬局の名称を示す文字列が記録される。
【００８４】
図７は、医薬品マスタ２１８に記録される医薬品データの例を示す図である。医薬品データは、医薬品コードと、一般名コードと、医薬品名と、備考とが対応付けられている。医薬品コードは、レセプト電算処理システム用コード、薬価単位に設定されている薬価基準収載医薬品コード、および統一名収載品目の個々の商品に対して付与される個別医薬品コード（ＹＪコード）のいずれを使用することもできるが、これらに限定されるものではない。医薬品名には、医薬品の名称を示す文字列が記録される。一般名コードは医薬品を成分や剤形毎に分類したコードである。後発医薬品（ジェネリック医薬品）の領域には、対応する医薬品が後発医薬品であるかを示すフラグが記録される。具体的には、後発品の場合は０、後発医薬品以外は１が設定される。備考には剤形等の情報が記録される。
【００８５】
図８は、傷病名マスタ２２０に記録される傷病名データの例を示す。傷病名データは、傷病名コードと、傷病名と、分類コードが対応付けて記録される。傷病名コードはレセプト電算処理用コードを使用することができる。傷病名には、傷病名を示す文字列が記録される。分類コードは傷病名を分類するためのコードである。
【００８６】
次に、図９に示すフロー図を参照し、本実施形態に係る服薬情報提供システム１００により実行される方法の手順について説明する。以下の説明において、服薬情報提供装置１０４は、レセプトＤＢ２１２から指定された同一の患者識別子に関連付けられた所定の期間内の医薬品の情報および医薬品を処方した医療機関の情報を取得する。服薬情報提供装置１０４は、取得された医薬品の情報および医療機関の情報を含む服薬情報を薬局用端末１１０へ送信する。次いで、薬局用端末１１０から、編集された服薬情報を受信する。ここで、編集された服薬情報は、患者識別子に対応する患者から聞き取った情報を含む。そして、服薬情報提供装置１０４は、服薬情報に基づいて、医療機関ごとに、医療機関が処方した医薬品の情報及び患者から聞き取った情報を含む服薬状況レポートを生成する。
【００８７】
他方、薬局用端末１１０は、患者を識別する患者識別子を入力する。次いで、薬局用端末１１０は、入力部から入力された患者識別子を服薬情報提供装置１０４に送信する。次いで、服薬情報提供装置１０４から、患者識別子に関連付けられた所定の期間内の医薬品の情報および医薬品を処方した医療機関の情報を含む服薬情報を受信する。次いで、受信部により受信された服薬情報を表示部に表示する。そして、患者から聞き取った情報に基づいて表示部に表示された服薬情報を編集する。
【００８８】
具体的には、ステップＳ９０２において、薬局用端末１１０は、患者識別子の入力を受ける。患者識別子として、例えば被保険者証記号と被保険者証番号との組み合わせを用いることができるが、本発明はこれに限定されるものではなく、患者を識別するための任意の情報を用いることができる。ここで、患者識別子は２次元バーコードとして構成されてもよい。例えば、当該２次元バーコードが印刷されたはがきを保険者から患者へ郵送し、この用紙を患者が薬局へ持参し、薬局においてこの用紙の２次元バーコードをバーコードリーダで読み取って、薬局用端末１１０に入力することとしてもよい。
【００８９】
ついで、ステップＳ９０４に進み、薬局用端末１１０から服薬情報提供装置１０４に患者識別子を送信する。服薬情報提供装置１０４は、受信した患者識別子に基づいて患者の服薬に関する情報（服薬情報）を生成し、薬局用端末１１０に返信する。薬局用端末１１０は、受信した服薬情報を表示する。
【００９０】
なお、薬局用端末１１０において、個人識別コード（第１の患者識別子）と、被保険者証記号と被保険者証番号との組み合わせ（第２の患者識別子）とを対応付けた表を記憶しておき、第１の患者識別子の入力を受けた場合に対応する第２の患者識別子を取得して、これを服薬情報提供装置１０４に送信することとしても良い。
【００９１】
ステップＳ９０６〜Ｓ９１０において、薬剤師は、薬局用端末１１０の表示部に表示された服薬情報を閲覧しながら、患者から服薬情報についての聞き取りを行い、聞き取った情報を薬局用端末１１０に入力する。まず、ステップＳ９０６において、薬剤師は薬局用端末１１０を操作して、表示部に最近の処方の編集画面を表示し、患者から最近の処方の聞き取りを行い、薬局用端末１１０に入力する。次いで、ステップS９０８において、薬剤師は薬局用端末１１０を操作して、表示部に残薬の編集画面を表示し、残薬の状況の聞き取りを行う。残薬は、患者が薬剤を飲み忘れたり、多種類の薬剤を処方されて適切に服用できなかったりした場合などに生じる薬の飲み残しの種類または数の情報を含み得る。
【００９２】
次いで、ステップＳ９１０において、薬剤師は薬局用端末１１０を操作して、表示部に副作用の編集画面を表示し、患者から副作用を含む自覚症状の訴えについての聞き取を行い、聞き取った情報を薬局用端末１１０に入力する。自覚症状に係る訴えの情報は、患者の服薬に伴い自覚するふらつきや転倒等の症状を含み、その症状は患者が副作用として認識しているか否かを問わない。
【００９３】
ここで、患者から聞き取った自覚症状の情報を薬局用端末１１０から服薬情報提供装置１０４に送信し、服薬情報提供装置１０４では受け取った情報に基づいて、当該自覚症状に関連する可能性のある医薬品を判定し、薬局用端末１１０に提示することとしてもよい。この処理の具体例は後述する。
【００９４】
次に、ステップＳ９１２において、薬剤師は薬局用端末１１０を操作して、表示部に医薬品の重複の確認画面を表示し、必要に応じてコメントを薬局用端末１１０に入力する。次いで、ステップＳ９１４において、薬剤師は薬局用端末１１０を操作して、表示部に相互作用の確認画面を表示し、必要に応じてコメントを薬局用端末１１０に入力する。次いで、ステップＳ９１６において、薬剤師は薬局用端末１１０を操作して、表示部に慎重投与状況の確認画面を表示し、必要に応じてコメントを薬局用端末１１０に入力する。さらに、ステップＳ９１８において、所見の入力画面を表示し、必要に応じて所見を薬局用端末１１０に入力する。薬局用端末１１０に入力された情報は、ステップＳ９２０において服薬情報提供装置１０４に送信される。服薬情報提供装置１０４は、受信した情報に基づいて服薬状況レポートを生成し、薬局用端末１１０に接続された印刷装置に服薬状況レポートを送信して印刷を行わせる等の出力処理を行う。ここで、服薬情報提供装置１０４は薬局用端末１１０に、服薬状況レポートの対象となった医療機関の診療科および医師名と、服薬状況レポートの出力ボタンとを対応させた一覧表示させる。薬剤師は所望の出力ボタンを押下して対応する服薬状況レポートの生成を指示する。服薬情報提供装置１０４は薬局用端末１１０からの指示に応答して服薬状況レポートのファイルを生成し、薬局用端末１１０へ返送する。薬剤師は服薬状況レポートのファイルを開いて印刷した後、ファクシミリで医療機関に送付する。あるいは、薬剤師は服薬状況レポートを電子メールで医療機関に送付する。
【００９５】
次に、図１０〜１９を参照し、上述した図９の各ステップの具体的な動作について説明する。
【００９６】
図１０は、図９のステップＳ９０４において、服薬情報提供装置１０４および薬局用端末１１０により実行される服薬情報の取得および表示方法の手順を示すフローチャートである。ステップＳ１００２において、服薬情報提供装置１０４は、受信した患者識別子に対応する患者の名前等の情報を患者ＤＢ２１４から取得する。次いで、ステップＳ１００４に進み、患者識別子に対応する患者のレセプトのうち、所定の期間内、例えば１箇月以内に発行されたものをレセプトＤＢ２１２から取得する。ここで、次いで、医薬品マスタ２１８を参照し、患者のレセプトに含まれている医薬品コードに対応する医薬品の情報を取得する。
【００９７】
次いで、ステップＳ１００６に進み、患者に対して異なる医療機関で発行されたレセプトについて、処方された医薬品の重複の有無を判定する。
【００９８】
次いで、ステップＳ１００８に進み、患者に対して発行されたレセプトについて、相互作用を生じる医薬品の有無を判定する。
【００９９】
次いで、ステップＳ１０１０に進み、患者に対して発行されたレセプトについて、慎重な投与を必要とする医薬品の有無を確認する。
【０１００】
そして、ステップＳ１０１２において、処方された医薬品の副作用の有無を判定する。
【０１０１】
次に、図１１を参照し、ステップＳ１００６において行われる医薬品の重複の判定処理について説明する。本実施形態では、医薬品コードとして薬価基準収載医薬品コードを使用する。例として、メトレート錠２ｍｇの薬価基準収載医薬品コードを以下に示す。
３９９９  ０１６  Ｆ    １  ０２  ２
【０１０２】
このコードは、以下のような情報から構成される。
薬効分類：３９９９
成分：０１６
剤形：Ｆ
規格単位番号：１
銘柄別番号：０２
チェックディジット：２
【０１０３】
このコードを採用する場合は、以下のようにして重複を確認する方法を採用することができる。
【０１０４】
薬価基準収載医薬品コードは上位７桁によって日本標準商品分類コード（薬効）、成分を識別し、上位８桁以降によって剤形、規格単位番号、銘柄等が識別される。そこで、異なる医療機関が発行したレセプトについて、対象となる医薬品の処方開始日から投与日数の期間を投与期間として、投与期間の重複があるかを判定する。さらに、当該コードの上７桁のみを突き合わせて重複を判定することによって、同様の成分で異なる銘柄の医薬品を検出することができる。
【０１０５】
ステップＳ１１１０において、レセプトから１つの医薬品コードを取得する。
【０１０６】
ついで、ステップＳ１１１４において、対象となる薬剤の処方開始日から投与日数の期間を投与期間として、投与期間の重複があるかを判定する。さらに、取得された医薬品コードと、取得されたレセプト内の他の医薬品コードとを突き合わせる。
【０１０７】
ついで、ステップＳ１１１６において、突合せの結果一致した医薬品コードが見つかったか否かを判定する。
【０１０８】
ステップＳ１１１６において一致した医薬品コードが見つかったと判定した場合、ステップＳ１１１８へ進み、当該医薬品コードをデータ記憶部２２６に記憶し、ステップＳ１３２０へ進む。一方、ステップＳ１１１６において一致した医薬品コードが見つからなかったと判定した場合、直接ステップＳ１１２０に進む。
【０１０９】
ステップＳ１１２０において、選択した医薬品コードを次回の突合せから除去する。
【０１１０】
以上の処理を、患者のレセプトに含まれた全ての医薬品コードについて繰り返し（ステップＳ１１０８〜ステップＳ１１２２）、医薬品の重複の判定処理を終了する。
【０１１１】
上述した実施形態では、医薬品コードとして薬価基準収載医薬品コードを使用した場合、重複した医薬品コードがあるか否かを判定することによって、同一または類似の成分を有する医薬品を検出することが可能となる。しかしながら、医薬品コードとして薬価基準収載医薬品コード以外のコードを使用した場合、異なる医薬品コードであっても同一または類似の成分を有する医薬品が存在し得る。そこで、薬価基準収載医薬品コード以外のコードを使用した場合の重複判定処理について、以下に説明する。
【０１１２】
本実施形態に係る服薬情報提供装置１０４の記憶部２２４には、類似医薬品マスタが記憶される。図１２は、本実施形態に係る類似医薬品マスタに含まれる類似医薬品データの例を示す。同図に示すように、類似医薬品マスタは、１つの医薬品コードに、同一または類似の成分を有する１つまたは複数の医薬品の医薬品コード（類似医薬品コード）が対応付けられている。
【０１１３】
また、服薬情報提供装置１０４のデータ記憶部２２６には、本実施形態において見つけられた類似する医薬品の医薬品コードを記憶する領域が設けられ、以下の処理においてこの領域が使用される。
【０１１４】
図１３は、上記のように構成された服薬情報提供装置１０４により実施される医薬品の重複の確認処理を示す。この処理は、図１１に示す医薬品の重複の判定処理に代えて行うことができる。ステップＳ１３１０において、類似医薬品マスタ１３１２を検索し、レセプトから選択された１つの医薬品コードに対応する類似医薬品コードを選択する。
【０１１５】
ついで、ステップＳ１３１４において、対象となる薬剤の処方開始日から投与日数の期間を投与期間として、投与期間の重複があるかを判定する。さらに、取得されたレセプト内の他の医薬品コードと、取得された類似医薬品コードとを突き合わせる。
【０１１６】
ついで、ステップＳ１３１６において、突合せの結果一致した医薬品コードが見つかったか否かを判定する。
【０１１７】
ステップＳ１３１６において一致した医薬品コードが見つかったと判定した場合、ステップＳ１３１８へ進み、当該医薬品コードをデータ記憶部２２６に記憶し、ステップＳ１３２０へ進む。一方、ステップＳ１３１６において一致した医薬品コードが見つからなかったと判定した場合、直接ステップＳ１３２０に進む。
【０１１８】
ステップＳ１３２０において、選択した医薬品コードを次回の突合せから除去する。
【０１１９】
以上の処理を、患者のレセプトに含まれた全ての医薬品コードについて繰り返す（ステップＳ１３０８〜ステップＳ１３２２）。
【０１２０】
以上説明した処理によれば、同一または類似の成分を有する服薬情報を提供することができる。
【０１２１】
次に、図１０のステップＳ１００８において行われる相互作用判定について説明する。服薬情報提供装置１０４から薬局用端末１１０に提供される情報により、相互作用を生じ得る医薬品の情報を提供するため、服薬情報提供装置１０４の記憶部２２４には、相互作用マスタを記憶する。図１４は、本実施形態に係る相互作用マスタに含まれる相互作用データの例を示す図である。同図に示すように、相互作用データは、医薬品コードと、相互作用医薬品コードと、備考とが対応付けられている。相互作用医薬品コードには、左欄の医薬品コードに対応する医薬品と相互作用を生じ得る１種以上の医薬品コードが記録される。右欄の備考には、具体的な相互作用の内容を記録することができる。
【０１２２】
また、本実施形態において用いられるデータ記憶部２２６には、相互作用を生じ得る医薬品の医薬品コードを記憶する領域が設けられ、以下の処理において使用される。
【０１２３】
図１５は、上記のように構成された服薬情報提供装置１０４により実施される相互作用判定の手順を示すフローチャートである。ステップＳ１７０２において、相互作用マスタ１７０４を検索し、レセプトから選択された１つの医薬品コードに対応する相互作用医薬品コードを取得する。
【０１２４】
ついで、ステップＳ１７０６において、取得されたレセプト内の他の医薬品コードと、取得された相互作用医薬品コードとを突き合わせる。
【０１２５】
ついで、ステップＳ１７０８において、突合せの結果一致した医薬品コードが見つかったか否かを判定する。
【０１２６】
ステップＳ１７０８において一致した医薬品コードが見つかったと判定した場合、ステップＳ１７１０に進み、一致した医薬品コードをデータ記憶部２２６に記憶し、ステップＳ１７１２へ進む。一方、ステップＳ１７０８において一致した医薬品コードが見つからなかったと判定した場合、直接Ｓ１７１２に進む。
【０１２７】
ステップＳ１７１２において、選択した医薬品コードを次回の突合せから除去する。
【０１２８】
以上の処理を、患者のレセプトに含まれた全ての医薬品コードについて繰り返す（ステップＳ１７０１〜ステップＳ１７１４）。
【０１２９】
以上説明した処理によれば、相互作用が生じ得る医薬品の情報を提供することができる。
【０１３０】
次に、図１０のステップＳ１０１０において行われる慎重投与判定について説明する。服薬情報提供装置１０４から薬局用端末１１０に提供される情報により、慎重投与が必要とされる医薬品を薬局用端末１１０に表示させるため、服薬情報提供装置１０４は、その記憶部２２４に、慎重投与マスタを記憶する。図１６は、本実施形態に係る服薬情報提供装置１０４の慎重投与マスタに含まれる慎重投与データの例を示す。同図に示すように、本実施形態に係る慎重投与データには、慎重投与医薬品コードと、備考とが対応付けられている。慎重投与医薬品コードは、例えば「高齢者の安全な薬物療法ガイドライン２０１５」で慎重投与薬に指定されている医薬品の医薬品コードが記録される。また、慎重投与医薬品コードは、医薬品の添付文書に記載された内容、例えば「原則禁忌」、「慎重投与」、ならびに高齢者、妊婦および小児等の「特定の背景を有する患者に関する注意」等に関する情報が記載された医薬品の医薬品コードが記録されてもよい。
【０１３１】
また、本実施形態において用いられるデータ記憶部２２６には、慎重な投与が必要な医薬品の医薬品コードを記憶するための領域が設けられ、以下の処理において使用される。
【０１３２】
次に、図１７のフローチャートを参照し、慎重投与判定の手順について説明する。
【０１３３】
ステップＳ１４０２において、慎重投与マスタ１４０４を検索し、レセプト情報から取得された医薬品コードと、慎重投与データに記憶された慎重投与医薬品コードとを突き合わせる。次いで、ステップＳ１４０６において、いずれかの慎重投与医薬品コードと一致した医薬品コードがある場合は、ステップＳ１４０８に進み、一致した医薬品コードをデータ記憶部２２６に記憶する。以上の処理を、患者のレセプトに含まれた全ての医薬品コードについて繰り返す（ステップＳ１４０１〜Ｓ１４０９）。
【０１３４】
以上説明したように、本実施形態によれば、慎重投与が必要な医薬品の情報を提供することができる。
【０１３５】
次に、ステップＳ１０１２において行われる患者の副作用の判定について説明する。服薬情報提供装置１０４から薬局用端末１１０に提供される情報により、副作用を生じ得る医薬品の情報を提供するため、服薬情報提供装置１０４の記憶部２２４に、副作用マスタを記憶する。図１８は、本実施形態に係る副作用マスタに含まれる副作用データの例を示す図である。同図に示すように、副作用データは、副作用医薬品コードと、副作用を特定する副作用コードと、備考とが対応付けられている。副作用医薬品コードには、副作用を生じ得る１種以上の医薬品コードが記録される。右欄の備考には、具体的な副作用の内容、例えば「食欲低下」、「ふらつき・転倒」等の情報や医薬品の添付文書の記載内容を記録することができる。
【０１３６】
また、本実施形態において用いられるデータ記憶部２２６には、副作用医薬品コードを記憶する領域が設けられ、以下の処理において使用される。
【０１３７】
図１９は、上記のように構成された服薬情報提供装置により実施される副作用判定の手順を示すフローチャートである。
【０１３８】
ステップＳ２１０６において、レセプト内の１つの医薬品コードと、副作用マスタ２１０８内で特定された副作用医薬品コードとを突き合わせる。
【０１３９】
ついで、ステップＳ２１１０において、突合せの結果一致した医薬品コードが見つかったか否かを判定する。
【０１４０】
ステップＳ２１１０において一致した医薬品コードが見つかったと判定した場合、ステップＳ２１１２に進み、一致した医薬品コードをデータ記憶部２２６に記憶する。
【０１４１】
以上の処理を、患者のレセプトに含まれた全ての医薬品コードについて繰り返す（ステップＳ２１０２〜ステップＳ２１１４）。
【０１４２】
以上説明した処理によれば、副作用を生じ得る医薬品の情報を提供することができる。
【０１４３】
このように、服薬情報提供装置１０４は、図９のステップＳ９０４において、図１０に示す処理を行った後、患者の服薬情報を返信する。この際、服薬情報中に含まれている医薬品の情報に、重複があることを示す情報、相互作用を生じる医薬品が含まれていることを示す情報、慎重な投与が必要な医薬品であることを示す情報、および副作用の情報を対応付けた服薬情報の画像を生成して、薬局用端末１１０に返信する。これらの情報の対応付けは、図１１、１３、１５、１７および１９に示したフローにおいて、データ記憶部２２６に記憶された医薬品コードに基づいて行われる。
【０１４４】
次に、図２０〜２８を参照し、薬局用端末１１０の表示部に表示される画像の例について説明する。
【０１４５】
図２０は、ステップＳ９０４において薬局用端末１１０に表示される服薬情報の例を示す図である。
【０１４６】
同図に示すように、患者の情報を表示するための領域１８０２には、患者ＤＢ２１４から取得された情報が表示される。
【０１４７】
また、服薬情報を表示する領域１８０４に、レセプトを発行した医療機関、調剤した医療機関ごとに、医薬品の情報が表示される。医薬品の情報は、医薬品マスタ２１８から取得された医薬品名、医薬品レコードから取得された数量、回数、調剤日、剤形（内服・外用）の情報を含む。ここで、医薬品の情報は、図２０に示すように用法ごとにグループ化して表示することとしてもよい。この場合、医薬品の情報は、例えば調剤レセプトデータの処方基本レコードに含まれた用法コードごとにグループ化することとしてもよい。図２０に示す例では、１日３回食前服用、１日３回食後服用、１日２回朝昼食前服用に該当する医薬品を、それぞれグループ化して表示されている。
【０１４８】
また、図２０に示す例では、医薬品の名称に対応付けて、後発医薬品であることを示す情報を表示する領域１８１４、重複があることを示す情報を表示する領域１８０６、相互作用を生じる医薬品が含まれていることを示す情報を表示する領域１８０８、および慎重な投与が必要な医薬品であることを示す情報を表示する領域１８１０が含まれており、それぞれ該当する医薬品に丸印もしくは、医薬品同士の関連性を示す番号が表示されている。
【０１４９】
ここで、後発医薬品であることを示す情報は、医薬品マスタ２１８内の後発医薬品であるかを示すフラグに基づいて表示される。
【０１５０】
また、服薬情報に表示される丸印等の情報は、図２１に示すように薬局用端末１１０の入力装置を使用して選択可能なリンクとして構成されてもよい。この場合、服薬情報提供装置１０４は、このリンクが選択された際に、薬局用端末１１０に表示させるべき情報を併せて返信するものとすることができる。図２１に示す例では、リンクを選択することにより対応する情報を含むウインドウの画像を表示させている。
【０１５１】
重複した医薬品があることを示すリンクが選択された場合、ウインドウに表示させる情報は、予め登録したメッセージとすることができる。また、相互作用を生じる医薬品が含まれていることを示すリンクが選択された場合、ウインドウに表示させる情報を、相互作用マスタに含まれている備考の情報とすることができる。また、慎重な投与が必要な医薬品であることを示すリンクが選択された場合、ウインドウに表示させる情報を、慎重投与マスタに含まれている備考の情報とすることができる。
【０１５２】
次に、図９のステップＳ９０６において実行される画面表示のための動作について説明する。図２０において薬局用端末１１０に表示されているボタン１８１２が選択された場合、薬局用端末１１０は最近の処方の編集画面の生成を服薬情報提供装置１０４に要求する。服薬情報提供装置１０４は、この要求に応答して最近の処方の編集画面を生成し、薬局用端末１１０に返信する。結果として、薬局用端末１１０は図２２に示す画面を表示させる。同図に示す例では、図２０に表示された情報のうち、用法・用量によるグループ化が行われていない点、および領域１８１４、１８０６、１８０８および１８１０に代えて、最近の処方の有無を入力するためのチェックボックス２００２が表示される点において相違する。図２２に示す画像は服薬情報提供装置１０４に蓄積された情報に基づいて生成されるため、すべてのチェックボックス内に、医薬品が処方されていることを示すチェックマークが表示されている。この情報は、患者に対して処方された最新の薬剤の情報とは相違している場合がある。このため、薬剤師において患者から最近の処方に関する情報を聞き取りながら、表示されているチェックボックス２００２のうちから、直近で処方されていない医薬品に対応するチェックボックスを選択してチェックマークを除去する。そして、ボタン２００４が選択された場合、薬局用端末１１０は内部の記憶装置に、最近の処方の有無に関する情報を医薬品の情報と対応付けて記憶し、図２３の残薬の聞き取り画面を表示する。同図に示すように、薬局用端末１１０は、領域２２０２に、上記チェックボックスが選択された医薬品、すなわち最近処方されている医薬品の情報のみを一覧形式で表示する。
【０１５３】
次に、図９のステップＳ９０８において行われる画面表示のための動作について説明する。図２２においてボタン２００４が選択された場合、薬局用端末１１０は残薬の入力画面の生成を服薬情報提供装置１０４に要求する。服薬情報提供装置１０４は、この要求に応答して残薬の入力画面を生成し、薬局用端末１１０に返信する。結果として、薬局用端末１１０は図２３に示す画面を表示する。同図に示す例では、領域２２０２に医薬品の情報を、医薬品を処方した医療機関ごと、および医薬品を調剤した医療機関ごとに表示している。また、領域２２０２に、残薬の数量（残数）を入力するための領域２２０４を表示する。
【０１５４】
医療機関ごとに医薬品の情報をまとめた画像を生成する処理は、具体的には以下のように行われる。調剤レセプトの場合、図４に示すように「頭書き」の部分に薬局医療機関コードと病院医療機関コードとが含まれているため、これら２つのコードに基づいて医薬品の情報をグループ化する。
【０１５５】
また、領域２２０２の下部に、医療機関に向けたコメントの入力領域２２０６が表示される。薬剤師は薬局用端末１１０を操作し、同図に示す画面を閲覧しながら患者から残薬の状況を聞き取り、表示されている医薬品名に対応する残数の情報を領域２２０４に、およびコメントを入力領域２２０６にそれぞれ入力する。ここで、入力すべきコメントの定型文を薬局用端末１１０の記憶装置に登録しておくこととしてもよい。この場合、医療機関に対応するボタン２２１０を選択することにより登録された定型文を呼び出し、入力領域２２０６に入力することとしてもよい。あるいは、薬剤師が入力したコメントを定型文として新たに登録することとしてもよい。この場合、コメントに対応するボタン２２０８を選択することにより、薬局用端末１１０に登録することとしてもよい。
【０１５６】
また、患者から聞き取った残薬に該当する医療機関と医薬品が、領域２２０２に表示された医療機関と医薬品にない場合、医療機関と医薬品を追加することを可能としてもよい。例えば、領域２２０２の最右列の領域に示すように、医療機関名に対応させてボタン２２１６を設け、当該ボタンの操作に応じて、医薬品名、数量、回数、調剤日、剤形等の情報を追加することを可能としてもよい。
【０１５７】
さらに、画面上にボタン２２１４を表示し、当該ボタンの操作に応じて、医療機関の情報を追加することを可能としてもよい。
【０１５８】
次に、図９のステップＳ９１０において行われる画面表示のための動作について説明する。図２３に示す画面においてボタン２２１２が選択された場合、薬局用端末１１０は副作用の編集画面の生成を服薬情報提供装置１０４に要求する。服薬情報提供装置１０４は、この要求に応答して副作用の編集画面を生成し、薬局用端末１１０に返信する。結果として、薬局用端末１１０は図２４に示す画面を表示する。同図に示す例では、医薬品の情報を表示する領域２５０２に、自覚症状の領域２５０６、医療機関名の領域２５０８、医薬品名の領域２５１０が表示されている。また、領域２５０２の１列目（最左列）に、副作用の具体的内容を選択するためのチェックボックスが表示される。医療機関名の領域２５０８には、副作用を生じる医薬品を処方した医療機関の名称が表示される。医薬品名の領域２５１０には、自覚症状に対応する医薬品名が表示される。
【０１５９】
具体的には、この画面は服薬情報提供装置１０４において次のように生成される。まず、図１９に示す処理においてデータ記憶部２２６に記憶された医薬品コードがあるかを判断する。副作用を生じる医薬品コードが記憶されている場合、対応付けられた医薬品について副作用マスタの備考欄の情報を領域２５０２の１列目（最左列）の情報とする。次に、レセプトを参照し、副作用の情報が対応付けられている医薬品について、当該医薬品を処方した医療機関の医療機関コードを取得し、医療機関マスタ２１６から医療機関コードに対応する医療機関名を取得する。次いで、医薬品マスタ２１８から、副作用を生じる医薬品の医薬品コードに対応する医薬品名を取得する。
【０１６０】
薬剤師においては、図２４に表示される画面を閲覧しながら患者から自覚症状の聞き取りを行い、領域２５０４内のチェックボックスのうち該当する自覚症状に対応するものを選択する。また、領域２５１０内のチェックボックスのうち、実際に処方されている医薬品のうちから問題があると考えられる医薬品のチェックボックスを選択する。
【０１６１】
なお、領域２５０２の領域２５１４に示すように、医薬品の添付文書に記載されている内容を表示することとしてもよい。この場合、同図に示すように「ふらつき」等の添付文書記載内容の文字列にリンクを設定し、当該リンクが選択された際、より詳細な添付文書記載内容を含むウインドウを新たに表示させるように構成することができる。
【０１６２】
次に、図９のステップＳ９１２において行われる画面表示のための動作を説明する。図２４の画面においてボタン２５１２が選択されると、薬局用端末１１０は重複状況の確認画面の生成を服薬情報提供装置１０４に要求する。服薬情報提供装置１０４は、この要求に応答して重複状況の確認画面を生成し、薬局用端末１１０に返信する。結果として、薬局用端末１１０は図２５に示す画面を表示する。同図に示す例では重複した医薬を処方した医療機関の医療機関名の領域２６０４と、重複した医薬品名の領域２６０６とが表示されている。具体的には、図１１および１３に示す処理においてデータ記憶部２２６に記憶された医薬品コードに基づいて医薬品マスタ２１８から取得された医薬品名と、当該医薬品を処方した医療機関の医療機関コードに基づいて医療機関マスタ２１６から取得された医療機関名とが対応付けて表示される。
【０１６３】
また、同図に示す画面にはコメントの入力領域２６０８が表示される。薬剤師は医療機関へ向けたコメントを入力領域２６０８に入力することができる。ここで、入力すべきコメントの定型文を薬局用端末１１０の記憶装置に登録しておくこととしてもよい。この場合、医療機関に対応するボタン２６１０を選択することにより登録された定型文を呼び出し、入力領域２６１３に入力することとしてもよい。あるいは、薬剤師が入力したコメントを定型文として新たに登録することとしてもよい。この場合、コメントに対応するボタン２６１２を選択することにより、薬局用端末１１０に登録することとしてもよい。
【０１６４】
また、重複した医薬品を処方している医療機関のうちから医療機関を選択して処方の変更を依頼すべくコメントを入力することとしてもよい。例えば、医療機関を選択するための領域に表示されているオプションボタン２６１４のうちから、処方の変更を依頼する医療機関に対応するオプションボタンを選択することにより、依頼先を切り替える定型コメントを入力領域２６１３に入力することとしてもよい。
【０１６５】
ここで、重複した医薬品が複数の医療機関から処方されていた場合、どの医療機関による医薬品の処方を中止すべきかを判断する必要がある。この判断のための情報として、図２５に示すように、診療開始日２６１５を表示させることとしてもよい。この表示処理により、薬剤師は診療開始日が最先の医療機関による処方を継続させる一方、他の医療機関による当該医薬品の処方を中止するよう通知することが可能となる。
【０１６６】
ところで、医薬品の診療開始日の情報は、医科レセプトに含まれているが、調剤レセプトには含まれていない。そこで、以下のように重複した医薬品の各々について診療開始日を特定する。
【０１６７】
医科レセプトに含まれている疾病欄には、傷病名に対応する診療開始日の情報が記載される。そこで、図２６に示すように、重複した医薬品の医薬品コードを用いて、対象となる患者のレセプトの情報を参照し、当該医薬品コードを含む医科レセプトと、その医科レセプト内で当該医薬品コードに対応する傷病名および診療開始日を特定する。
【０１６８】
図２６は、調剤薬局ａおよび調剤薬局ｂで調剤された医薬品Ｘについて重複と判定された場合に診療開始日を特定する方法の例を示している。同図に示す例では、医薬品Ｘの医薬品コードを用いてレセプトの検索を行い、医療機関Ａおよび医療機関Ｂで発行された医科レセプトを特定している。さらに、この２つの医科レセプトについて、医薬品Ｘに対応する傷病名Ｙ、および病名Ｙの診療開始日２０１０／４／１および２０１０／１０／１を特定している。この方法は、具体的には特許文献２に記載されている症状マスタを参照する方法を応用して行うことができる。図２７は、症状マスタ２３０に記憶されている症状データの例を示す図である。症状データには一般名コードと、傷病名分類コードとが対応付けられている。一般名コードは、医薬品の添付文書に記載される医薬品の一般名をコード化した値であり、上述した医薬品データに含まれている一般名コードに対応する。
【０１６９】
図２８は、医科レセプトのデータに含まれているデータの一部を示す図である。医科レセプトにおいて、傷病名コードは診療開始日と対応付けられている。
【０１７０】
このように、症状マスタ２３０は、医薬品マスタ２１８に記憶された医薬品の情報と、傷病名マスタに記憶された傷病名の情報とを対応付ける役割を担っている。また、医科レセプトのデータは、患者の傷病名と診療開始日とを対応付けたデータを含んでいる。
【０１７１】
次に、図２９を参照し、重複すると判定された医薬品コードに対応する診療開始日を特定する手順を説明する。
【０１７２】
まず、対象となる医薬品コードを、医薬品マスタ２１８の医薬品コードと照合し、一致した医薬品コードに対応する一般名コードを医薬品マスタ３２６から抽出する（１）。
【０１７３】
次いで、抽出した一般名コードを用いて症状マスタ２３０を検索し、該当する一般名コードに対応する傷病名分類コードを読み出す（２）。
【０１７４】
次いで、読み出した傷病名分類コードと傷病名マスタ２２０の分類コードを照合し、一致した分類コードに対応する傷病名コードを傷病名マスタ２２０から読み出す（３）。
【０１７５】
そして、医科レセプトデータを検索し、（３）において読み出された傷病名コードに対応付けられた診療開始日を特定する（４）。
【０１７６】
このようにして、重複すると判定された医薬品の情報に対応する傷病名の情報を、医薬品マスタ２１８、症状マスタ２３０および傷病名マスタ２２０に基づいて特定し、特定された傷病名に対応する診療開始日を、医科レセプトのデータに基づいて特定することが可能となる。
【０１７７】
次に、図９のステップＳ９１４において行われる画面表示のための動作を説明する。
【０１７８】
図２５の画面においてボタン２６１６が選択されると、薬局用端末１１０は相互作用の確認画面の生成を服薬情報提供装置１０４に要求する。服薬情報提供装置１０４は、この要求に応答して相互作用の確認画面を生成し、薬局用端末１１０に返信する。結果として、薬局用端末１１０は図３０に示す画面を表示する。同図に示す例では、領域２７０２に、相互作用を生じる医薬品を処方した医療機関の医療機関名２７０４と、医薬品名２７０６とが対応付けて表示されている。具体的には、図１５に示す処理においてデータ記憶部２２６に記憶された医薬品コードに基づいて医薬品マスタ２１８から取得された医薬品名と、当該医薬品を処方した医療機関の医療機関コードに基づいて医療機関マスタ２１６から取得された医療機関名とが対応付けて表示される。
【０１７９】
また、同図に示す画面にはコメントの入力領域２７０８が表示される。薬剤師は医療機関へ向けたコメントを入力領域２７０８に入力することができる。ここで、入力すべきコメントを定型文として薬局用端末１１０の記憶装置に登録しておくこととしてもよい。この場合、医療機関に対応するボタン２７１０を選択することにより登録された定型文を呼び出し、入力領域２７０８に入力することとしてもよい。あるいは、薬剤師が入力したコメントを定型文として新たに登録することとしてもよい。この場合、コメントに対応するボタン２７１２を選択することにより、薬局用端末１１０に登録することとしてもよい。
【０１８０】
また、相互作用を生じる医薬品を処方している医療機関のうちから医療機関を選択して処方の変更を依頼すべくコメントを入力することとしてもよい。例えば、医療機関を選択するための領域に表示されているオプションボタン２７１４のうちから、処方の変更を依頼する医療機関に対応するオプションボタンを選択することにより、依頼先を切り替える定型コメントを入力領域２７０８に入力することとしてもよい。
【０１８１】
次に、図９のステップＳ９１６において行われる画面表示のための動作を説明する。
【０１８２】
図３０の画面においてボタン２７１６が選択されると、薬局用端末１１０は慎重投与状況の確認画面の生成を服薬情報提供装置１０４に要求する。服薬情報提供装置１０４は、この要求に応答して慎重投与状況の確認画面を生成し、薬局用端末１１０に返信する。結果として、薬局用端末１１０は図３１に示す画面を表示する。同図に示す例では領域２８０２に、慎重投与が必要な医薬品を処方した医療機関の医療機関名２８０４と、医薬品名２８０６とが対応付けて表示されている。具体的には、図１７に示す処理においてデータ記憶部２２６に記憶された医薬品コードに基づいて医薬品マスタ２１８から取得された医薬品名と、当該医薬品を処方した医療機関の医療機関コードに基づいて医療機関マスタ２１６から取得された医療機関名とが対応付けて表示される。
【０１８３】
また、同図に示す画面にはコメントの入力領域２８０８が表示される。薬剤師は医療機関へ向けたコメントを入力領域２８０８に入力することができる。ここで、入力すべきコメントを定型文として薬局用端末１１０の記憶装置に登録しておくこととしてもよい。この場合、医療機関に対応するボタン２８１０を選択することにより登録された定型文を呼び出し、入力領域２８０８に入力することとしてもよい。あるいは、薬剤師が入力したコメントを定型文として新たに登録することとしてもよい。この場合、コメントに対応するボタン２８１２を選択することにより、薬局用端末１１０に登録することとしてもよい。
【０１８４】
次に、図９のステップＳ９１８において行われる所見の入力の動作を説明する。図３１の画面においてボタン２８１４が選択されると、薬局用端末１１０は所見の入力画面の生成を服薬情報提供装置１０４に要求する。服薬情報提供装置１０４は、この要求に応答して所見の入力画面を生成し、薬局用端末１１０に返信する。結果として、薬局用端末１１０は図３２に示す画面を表示する。同図に示す例では領域２９０２に、レセプトに記載の医薬品を処方した医療機関名の領域２９０４と、コメントの入力領域２９０６とが対応付けて表示されている。
【０１８５】
薬剤師は医療機関へ向けたコメントを入力領域２９０６に入力することができる。ここで、入力すべきコメントを定型文として薬局用端末１１０の記憶装置に登録しておくこととしてもよい。この場合、医療機関に対応するボタン２９０８を選択することにより登録された定型文を呼び出し、入力領域２９０６に入力することとしてもよい。あるいは、薬剤師が入力したコメントを定型文として新たに登録することとしてもよい。この場合、コメントに対応するボタン２９１０を選択することにより、薬局用端末１１０に登録することとしてもよい。
【０１８６】
次に、図９のステップＳ９２０において行われる動作を説明する。図３２の画面においてボタン２９１２が選択されると、薬局用端末１１０はステップＳ９０６〜Ｓ９１８において編集された医薬品に関する情報を服薬情報提供装置１０４に送信し、服薬状況レポートの作成を要求する。服薬情報提供装置１０４は受信した情報に基づいて服薬状況レポートを作成する。
【０１８７】
図３３は服薬状況レポートの例を示す。同図において、服薬状況レポートは、副作用に関する情報３００２、残薬の状況３００４、重複に関する情報３００６、相互作用に関する情報３００８、慎重な投与が必要な医薬品に関する情報３０１０を含んでいる。また、それぞれの情報には薬剤師が入力したコメントが対応付けて表示されている。このように、服薬情報提供装置１０４は、薬局用端末１１０から受信した服薬情報に基づいて、医療機関ごとに、医療機関が処方した医薬品の情報及び患者から聞き取った情報を含む服薬状況レポートを生成することが可能となる。
【０１８８】
（第２実施形態）
次に、患者に対して処方された医薬品の情報のうちから、後発医薬品の候補を選択および通知して、薬局または医療機関の支援を行う第２実施形態について説明する。本実施形態において、服薬情報提供装置１０４はレセプトＤＢ２１２から指定された同一の患者識別子に対応付けられた所定の期間内の医薬品の情報を取得し、取得された服薬情報に含まれた医薬品について、医薬品マスタ２１８に記憶された情報に基づいて後発医薬品の候補を判定し、判定の結果を出力する。
【０１８９】
図３４は、本実施形態に係る処理の流れを示す図である。本実施形態に係る医薬品マスタ２１８には、医薬品コードとして薬価基準記載医薬品コードが採用される。薬価基準収載医薬品コードの上位９桁には、医薬品の成分、剤形、銘柄等の規格が割り振られている。そのため、コードの上位９桁が一致する医薬品は、同等の効果が期待できる。
【０１９０】
また、医薬品マスタ２１８には、後発医薬品か否かを区別する後発医薬品フラグが設けられている。
【０１９１】
図３４に示す処理は図１０に示すステップＳ９０４の処理と同様であるが、ステップＳ１００４とＳ１００６との間に、対象の医薬品が後発医薬品であるか否かの判定を行う処理（ステップＳ１００５）が追加される点において異なる。
【０１９２】
ステップＳ１００５において行われる処理の詳細について説明する。まず、患者に対して発行されたレセプトの情報のうち、所定の期間内、例えば１箇月以内に発行されたものをレセプトＤＢ２１２から取得する。ここで対象とするレセプトは、医科外来（薬剤情報提供料が発行されるもの）、および調剤のレセプトを含むことができる。
【０１９３】
次に、対象の医薬品が後発医薬品であるか否かを、以下の手順で判定する。
【０１９４】
１）医薬品マスタ２１８の後発医薬品フラグを参照し、対象の医薬品が後発医薬品であるかどうかを確認する。
【０１９５】
２）後発医薬品である場合、対象の医薬品の情報と後発医薬品であることを示す情報（フラグ）とを対応付けて記憶部２２４に記憶する。この情報は、例えばレセプトＤＢ２１２内に記憶することができる。
【０１９６】
ここで記憶されるフラグは、薬局用端末１１０に表示させる画面を生成する際に、後発医薬品であることを示す情報を表示するために参照される。例えば、図２０に示す画面を生成する際にフラグを参照し、対象の医薬品が後発医薬品であれば、領域１８１４の対応するセルに〇印を表示させる。
【０１９７】
（第３実施形態）
次に、医薬品の重複の判定処理に関する本発明の第３実施形態について説明する。図１１を参照して上述した判定処理では医薬品コードを突き合わせて重複を判定したが、本実施形態では、医薬品の薬理作用に基づいて重複を判定する。したがって、例えば、患者に対して処方された医薬品の情報の中に、異なる成分が含まれていても、薬理作用が同様の医薬品の場合は重複と判定する。この判定処理は、図１１に示した処理に追加して行うことができる。
【０１９８】
図３５は、服薬情報提供装置１０４の記憶部２２４に記憶される医薬品データの構造を示す。同図に示す構造では、薬効分類に薬理作用、成分、商品（医薬品）が対応付けられている。ここで、薬理作用の分類は、例えば中央社会保険医療協議会資料に基づいて設定することができる。服薬情報提供装置１０４は、この構造を参照することにより、ＨＭＧ−ＣｏＡ還元酵素阻害剤に含まれるすべての医薬品、すなわちメバロチン錠５  ５ｍｇ、メバロチン錠１０  １０ｍｇ、メバロチン細粒０．５％、プラバスタチンＮａ錠５ｍｇ等を重複する医薬品として判定することができる。さらに、プラバスタチンナトリウムを含む医薬品に加えて、シンバスタチンまたはフルバスタチンナトリウムを含む医薬品についても重複する医薬品として判定することができる。
【０１９９】
（第４実施形態）
次に、医薬品の重複の判定処理に関する本発明の第４実施形態について説明する。本実施形態では、薬理作用に加えて、他の条件を考慮して医薬品の重複を判定する。この判定処理は、図１１に示した処理に追加して行うことができる。
【０２００】
図３６は、本実施形態の他の例を示す。同図に示す構造では、薬効分類に薬理作用、作用時間、成分、商品（医薬品）が対応付けられている。服薬情報提供装置１０４は、この構造を参照することにより、患者に対して処方された医薬品の情報の中に、作用時間が同じ医薬品が含まれている場合に重複と判断する。例えば、短時間作用型の催眠鎮静剤、すなわちハルシオン０．２５ｍｇ錠、トリアゾラム錠０．１２５ｍｇ、アモバン錠７．５等はすべて重複と判定することができる。また、同じ薬理作用であっても中間作用型の医薬品、または長時間作用型の医薬品は、短時間作用型の医薬品と重複しないと判定することができる。
【０２０１】
（第５実施形態）
次に、医薬品の重複の判定処理に関する本発明の第５実施形態について説明する。本実施形態では、薬理作用に関わらず同一の配合剤を含む医薬品を重複と判定する。この判定処理は、図１１に示した処理に追加して行うことができる。
【０２０２】
図１１を参照した説明では、医薬品の成分に基づく重複のチェックを、薬価基準収載医薬品コードの上位７桁を突き合わせることにより行った。しかしながら、薬価基準収載医薬品コードの場合、同一成分で薬効分類が異なる場合がある。例えば、エクセグラン錠１００ｍｇの場合、薬価基準収載医薬品コードは１１３９００５Ｆ１０２３であり、成分にゾニザミドを含み、薬効分類は１１３（抗てんかん剤）である。他方、トレリーフＯＤ錠２５ｍｇの薬価基準収載医薬品コードは１１６９０１５Ｆ２０２２であり、成分にゾニザミドを含むが、薬効分類は１１６（抗パーキンソン剤）である。本実施形態では、エクセグラン錠１００ｍｇおよびトレリーフＯＤ錠２５ｍｇが処方されている場合であっても重複する医薬品と判定する。
【０２０３】
図３７は、服薬情報提供装置１０４の記憶部２２４に記憶される医薬品データの構造の他の例を示す。同図に示す構造では、薬効分類に薬理作用、成分、商品（医薬品）が対応付けられている。ここで、カデュエット配合錠４番は成分がアムロジピンベシル酸塩／アトルバスタチンカルシウム水和物であり、血管拡張剤と高脂血症用剤が配合されている。服薬情報提供装置１０４は、この構造を参照し、患者に対して処方された医薬品の情報の中に、配合剤（成分）が同じものが含まれている場合に重複と判定する。例えば、アムロジン錠５ｍｇおよびカデュエット配合錠４番が処方されている場合、両剤にアムロジピンベシル酸塩が含まれているため、重複と判定する。
【０２０４】
（第６実施形態）
次に、上述した実施形態におけるシステム構成の変形例について説明する。
【０２０５】
図３８は、本発明の第６実施形態に係る服薬情報提供システム３９００の全体像を概略的に示す図である。
【０２０６】
同図に示すように、本実施形態に係る服薬情報提供システム３９００は、保険者サーバ３９０２と、審査支払機関サーバ１０３と、レポート作成サーバ３９０４と、医師用端末１１４とを含む。
【０２０７】
保険者サーバ３９０２は、第１実施形態に係る服薬情報提供装置１０４の服薬情報分析サーバ１１８および服薬情報提供サーバ１２０と同様の機能をそれぞれが有する服薬情報分析サーバ３９１８および服薬情報提供サーバ３９２０を含む。但し、保険者サーバ３９０２は服薬状況レポート１１２を作成する機能を有しておらず、保険者サーバ３９０２と通信可能に接続されたレポート作成サーバ３９０４が当該機能を有する。
【０２０８】
また、保険者サーバ３９０２は薬局用端末１１０と通信可能に接続され、薬局用端末１１０へ提供する画面の生成等を行うように構成される。
【０２０９】
本実施形態では、保険者サーバ３９０２とレポート作成サーバ３９０４との組み合わせによって服薬情報提供装置が構成される。
【０２１０】
なお、レポート作成サーバ３９０４の機能を保険者サーバ３９０２に実装してもよく、この場合は保険者サーバ３９０２が服薬情報提供装置として機能する。
【０２１１】
（第７実施形態）
次に、上述した実施形態におけるシステム構成の別の変形例について説明する。
【０２１２】
図３９は、本発明の第７実施形態に係る服薬情報提供システム４０００の全体像を概略的に示す図である。
【０２１３】
同図に示すように、本実施形態に係る服薬情報提供システム４０００は、保険者サーバ１０２と、審査支払機関サーバ４００３と、レポート作成サーバ３９０４と、医師用端末１１４とを含む。
【０２１４】
審査支払機関サーバ４００３は、第１実施形態に係る服薬情報提供装置１０４の服薬情報分析サーバ１１８および服薬情報提供サーバ１２０と同様の機能をそれぞれが有する服薬情報分析サーバ４０１８および服薬情報提供サーバ４０２０を含む。但し、審査支払機関サーバ４００３は服薬状況レポート１１２を作成する機能を有しておらず、審査支払機関サーバ４００３と通信可能に接続されたレポート作成サーバ３９０４が当該機能を有する。
【０２１５】
また、審査支払機関サーバ４００３は薬局用端末１１０と通信可能に接続され、薬局用端末１１０へ提供する画面の生成等を行うように構成される。
【０２１６】
本実施形態では、審査支払機関サーバ４００３とレポート作成サーバ３９０４との組み合わせによって服薬情報提供装置が構成される。
【０２１７】
なお、レポート作成サーバ３９０４の機能を審査支払機関サーバ４００３に実装してもよく、この場合は審査支払機関サーバ４００３が服薬情報提供装置として機能する。
【０２１８】
（第８実施形態）
次に、上述した実施形態におけるシステム構成の別の変形例について説明する。
【０２１９】
図４０は、本発明の第８実施形態に係る服薬情報提供システム４１００の全体像を概略的に示す図である。
【０２２０】
同図に示すように、本実施形態に係る服薬情報提供システム４１００は、保険者サーバ１０２と、審査支払機関サーバ１０３と、レポート作成サーバ３９０４と、医師用端末１１４と、薬局用端末４１１０を含む。
【０２２１】
薬局用端末４１１０は、第１実施形態に係る服薬情報提供装置１０４の服薬情報分析サーバ１１８および服薬情報提供サーバ１２０と同様の機能をそれぞれが有する服薬情報分析サーバ４１１８および服薬情報提供サーバ４１２０を含む。但し、薬局用端末４１１０は服薬状況レポート１１２を作成する機能を有しておらず、薬局用端末４１１０と通信可能に接続されたレポート作成サーバ３９０４が当該機能を有する。
【０２２２】
本実施形態では、薬局用端末４１１０とレポート作成サーバ３９０４との組み合わせによって服薬情報提供装置が構成される。
【０２２３】
なお、レポート作成サーバ３９０４を薬局用端末４１１０に実装してもよく、この場合は薬局用端末４１１０が服薬情報提供装置として機能する。
【０２２４】
本実施形態に係る服薬情報提供装置として機能する薬局用端末４１１０は、審査支払機関サーバ１０３または保険者サーバ１０２から提供される服薬情報に基づいて情報処理を行う。すなわち、当該服薬情報提供装置は、審査支払機関サーバ１０３または保険者サーバ１０２から提供される服薬情報に基づいて、患者を識別する患者識別子と、医療機関識別子と、患者に対して調剤された医薬品の情報とを関連付けて記憶部に記憶し、記憶部から、指定された同一の患者識別子に関連付けられた所定の期間内の医薬品の情報および医薬品を処方した医療機関の情報を取得し、取得された医薬品の情報および医療機関の情報を含む服薬情報を表示し、患者識別子に対応する患者から聞き取った情報に基づいて表示された服薬情報を編集し、編集された服薬情報に基づいて、医療機関ごとに、医療機関が処方した医薬品の情報及び患者から聞き取った情報を含む服薬状況レポートを生成する等の処理を行うように構成される。
【０２２５】
（第９実施形態）
上述した実施形態では、審査支払機関サーバ１０３により集約された情報に基づいて服薬情報提供装置が服薬情報を提供するための各処理を行った。本発明の第９の実施形態では、患者に関連する医薬品の情報および医療機関の情報の少なくとも一部を患者識別子から取得する。本実施形態では、患者に関連する医薬品の情報および医療機関の情報を患者識別子１１７の中に含めておき、服薬情報提供装置は患者識別子１１７から当該情報を取得して服薬情報を提供するための各処理を行う。
【０２２６】
図１０を参照し、本実施形態に係る服薬情報提供装置により実行される方法の手順を説明する。まず、患者に提供する患者識別子１１７に、対応する患者のレセプトのうち、所定の期間内、例えば１箇月以内に発行されたものに含まれている医薬品コード等の情報を含めておく。
【０２２７】
ステップＳ１００２において、服薬情報提供装置１０４は、受信した患者識別子に対応する患者の名前等の情報を患者ＤＢ２１４から取得する。次いで、ステップＳ１００４に進み、対応する患者のレセプトのうち、１箇月以内に発行されたものに含まれている医薬品コードを患者識別子１１７から取得する。次いで、医薬品マスタ２１８を参照し、患者のレセプトに含まれている医薬品コードに対応する医薬品の情報を取得する。ステップＳ１００６以降の処理は、上述した実施形態と同様である。
【０２２８】
このように患者のレセプトに含まれているコード等の情報を患者識別子に含めておくことにより、レセプトＤＢへアクセスする処理を省略することができる。
【０２２９】
（第１０実施形態）
次に、図９のステップＳ９１０において行われる追加の実施形態について説明する。本実施形態では、患者から聞き取った自覚症状の情報を薬局用端末１１０から服薬情報提供装置１０４に送信する。服薬情報提供装置１０４では、受け取った情報に基づいて、当該自覚症状に関連する可能性のある医薬品を判定し、薬局用端末１１０に提示する。
【０２３０】
本実施形態に係る服薬情報提供装置１０４は、医薬品の情報と副作用の識別情報とを関連付けて記憶した副作用マスタ２１０８を有する。服薬情報提供装置１０４は、患者識別子に対応する副作用コードを受信し、受信された副作用コードに関連付けられた医薬品の情報を取得する。そして、取得された医薬品の情報を薬局用端末１１０に送信する。
【０２３１】
図４１は、本実施形態に係る処理の手順を示すフローチャートである。
【０２３２】
まず、薬剤師は薬局用端末１１０を操作して、表示部に副作用の編集画面を表示し、患者から副作用を含む自覚症状の訴えについての聞き取を行い、聞き取った情報を薬局用端末１１０に入力する。ここで、自覚症状に係る訴えの情報は、患者の服薬に伴い自覚するふらつきや転倒等の症状を含み、その症状は患者が副作用として認識しているか否かを問わない。
【０２３３】
自覚症状の情報の入力は、自覚症状に対応する副作用コードを用いて行うことができる。例えば、薬剤師が聞き取った自覚症状に対応する副作用コードを直接入力することとしてもよい。あるいは、薬局用端末１１０に副作用を示す文字列と副作用コードとの対応表を記憶しておき、当該記憶された対応表を利用することとしてもよい。この場合、薬剤師が薬局用端末１１０にこの対応表を表示させ、対応表から自覚症状に対応する副作用コードを選択することにより入力するようにしても良い。患者から聞き取った自覚症状に対応する副作用コードは、薬局用端末１１０から服薬情報提供装置１０４に送信される。（ステップＳ４２０２）。
【０２３４】
次いで、服薬情報提供装置１０４は、自覚症状に関連する可能性のある医薬品の医薬品コードを特定する（ステップＳ４２０４）。この処理は、副作用マスタ２１０８を参照して行う。
【０２３５】
図１８に示すように、副作用マスタ２１０８に含まれる副作用データは、副作用医薬品コードと、副作用を特定する副作用コードと、備考とが対応付けられている。副作用医薬品コードには、副作用を生じ得る１種以上の医薬品コードが記録される。右欄の備考には、具体的な副作用の内容、例えば「食欲低下」、「ふらつき・転倒」等の情報や医薬品の添付文書の記載内容を記録することができる。服薬情報提供装置１０４は、受信した副作用コードと、副作用データに含まれる副作用コードとの突き合わせを行う。突き合わせの結果、一致した副作用コードがある場合、当該副作用コードに対応する副作用医薬品コードを特定する。
【０２３６】
次いで、ステップＳ４２０６に進み、一致した副作用医薬品コードが特定されない場合は処理を終了する（Ｎｏルート）。他方、一致した副作用医薬品コードが特定された場合は（Ｙｅｓルート）、ステップＳ４２１０において、レセプト内の１つの医薬品コードと、副作用マスタ２１０８内で特定された副作用医薬品コードとを突き合わせる。
【０２３７】
ついで、ステップＳ４２１２において、突合せの結果一致した医薬品コードが見つかったか否かを判定する。
【０２３８】
ステップＳ４２１２において一致した医薬品コードが見つかったと判定した場合、ステップＳ４２１４に進み、一致した医薬品コードをデータ記憶部２２６に記憶する。
【０２３９】
以上の処理を、患者のレセプトに含まれた全ての医薬品コードについて繰り返す（ステップＳ４２１０〜ステップＳ４２１６）。そして、服薬情報提供装置１０４は、データ記憶部２２６に記憶された医薬品コードを薬局用端末１１０に返送する。
【０２４０】
次いで、ステップＳ４２１６に進み、自覚症状に関連する可能性のある医薬品の情報を表示する。この処理は、薬局用端末１１０は、受信した医薬品コードに対応する医薬品の情報を表示させることにより行う。その後、処理はステップＳ９１２へ進む。
【０２４１】
なお、自覚症状に関連する可能性のある医薬品の情報は、ステップＳ９２０において服薬状況レポートに含めて表示させることとしてもよい。
【０２４２】
以上説明した処理によれば、患者を識別する患者識別子と、患者に対して調剤された医薬品の情報とを関連付けて記憶したレセプトＤＢと、医薬品の情報と副作用の識別情報とを関連付けて記憶した副作用マスタとを備えたコンピュータにおいて、患者識別子に対応する副作用の識別情報を受信し、受信された副作用の識別情報に関連付けられた医薬品の情報を副作用マスタから取得し、取得された医薬品の情報とレセプトＤＢに記憶された医薬品の情報とを突き合わせ、突き合わせの結果一致した医薬品の情報の情報を含む服薬状況レポートを生成することができる。したがって、患者から聞き取った自覚症状に関する情報に基づいて、患者に処方された医薬品のうちから、自覚症状に関連する可能性のある医薬品を特定することが可能となる。
【０２４３】
（第１１実施形態）
上述した実施形態では、薬局用端末１１０は、患者を識別する患者識別子を入力し、入力された患者識別子を服薬情報提供装置１０４等に送信し、服薬情報提供装置１０４等から服薬情報を受信し、受信された服薬情報を表示部に表示し、患者から聞き取った情報に基づいて表示部に表示された服薬情報を編集する例について説明した。この薬局用端末１１０の機能は、医師用端末１１４に実装されることとしてもよい。
【０２４４】
本実施形態では、医師用端末１１４は、患者を識別する患者識別子を入力し、入力された患者識別子を服薬情報提供装置１０４に送信し、服薬情報提供装置１０４から服薬情報を受信し、受信された服薬情報を表示部に表示し、患者から聞き取った情報に基づいて表示部に表示された服薬情報を編集する。
【０２４５】
したがって、医師において、薬剤師から服薬状況レポートを受けとる処理を経ることなく服薬情報を取得することができる。
【０２４６】
（第１２実施形態）
上述した実施形態では、服薬状況レポートの作成を服薬情報提供装置１０４またはレポート作成サーバ３９０４において行う例について説明した。この服薬状況レポートを作成する機能は、薬局用端末１１０または医師用端末１１４に実装することとしてもよい。本実施形態に係る服薬情報提供システム１００により実行される服薬情報の提供方法では、図９に示すフロー図のステップＳ９０４において、薬局用端末１１０は、患者識別子に基づいて患者の服薬に関する情報（服薬情報）を生成し、服薬情報を表示する。
【０２４７】
（第１３実施形態）
次に、患者識別子を患者から提供することなく、服薬情報提供装置から薬局または医療機関へ服薬情報を提供する実施形態について説明する。
【０２４８】
図４２は、本実施形態に係る服薬情報提供システムの全体像を概略的に示す図である。服薬情報システム４３００は、図１に示す服薬情報システム１００の一部に対応しているため、図１と同様の符号が付された構成要素の詳細な説明は省略する。図４２を参照し、本実施形態に係る処理の手順を説明する。
【０２４９】
保険者サーバ１０２に記憶されたレセプトの情報は、所定の期間内、例えば１箇月ごとに、服薬情報提供装置１０４のオペレータに郵送で提供され、オペレータにより服薬情報提供装置１０４のレセプトＤＢ２１２に入力される。あるいは、服薬情報提供装置１０４は総合行政ネットワーク（ＬＧＷＡＮ）に接続され、当該ＬＧＷＡＮを介して保険者サーバ１０２からレセプトの情報を受信する。服薬情報提供装置１０４は、保険者サーバ１０２に記憶されたレセプトの情報の分析を行う。この分析は、上述した医薬品の重複判定、相互作用を生じる医薬品の有無を判定、慎重な投与を必要とする医薬品の有無の確認等を含む（（１））。
【０２５０】
次に、服薬情報提供装置１０４から、分析対象の医薬品を処方した薬局の薬局用端末１１０に対し、分析結果の情報の提供を受けることへの同意確認を行う（（２））。この同意確認は、具体的には電子メール等を送付することにより行う。この場合、服薬情報提供装置１０４は、調剤レセプトに記載される薬局医療機関コードと対応する薬局の薬局用端末の電子メールアドレスを予め記憶しておく。そして、分析対象の医薬品が記載された調剤レセプトから薬局医療機関コードを取得し、取得された薬局医療機関コードに対応する薬局用端末１１０の電子メールアドレスを、送信先アドレスとして用いる。同意確認は、例えば、「貴薬局にはポリファーマシーの可能性のある患者が〇人います：情報提供を求める場合は、以下に同意ください。」という文言と共に同意内容を記載した電子メール等を服薬情報提供装置１０４から薬局用端末１１０に送付することにより行うこととしてもよい。
【０２５１】
薬局用端末１１０のオペレータ（薬剤師）は、受信された同意内容に対する同意の意思を表示する情報を薬局用端末１１０から服薬情報提供装置１０４へ送信する（（３））。ここで、同意の意思を表示する情報は電子メール等を用いて行うものとすることができる。服薬情報提供装置１０４は、同意の意思を表示する情報の受信に応答して、分析結果の情報を提供する（（４））。分析結果は、医薬品の重複、相互作用を生じる医薬品、または慎重な投与を必要とする医薬品と、患者識別子とを対応付けた情報とすることができる。薬局用端末１１０のオペレータ（薬剤師）は、服薬情報提供装置１０４から受信された分析結果の情報に基づいて、患者４３０２に対し服薬指導を行う（（５））。あるいは、薬局用端末１１０において服薬状況レポートの作成、もしくは服薬情報提供装置１０４に対する服薬状況レポートの作成要求を行う。作成された服薬状況レポートは、例えば医師１０８の医師用端末１１４に送信することとしてもよい。
【０２５２】
同様の処理は、医師用端末１１４に関して行うこととしてもよい。この場合、服薬情報提供装置１０４から医師用端末１１４に対し、分析結果の情報の提供を受けることへの同意確認を行う（（２）’）。この同意確認は、具体的には電子メール等を送付することにより行う。この場合、服薬情報提供装置１０４は、医科レセプトに記載される病院医療機関コードと対応する医師の医師用端末の電子メールアドレスを予め記憶しておく。そして、分析対象の医薬品が記載された医科レセプトから病院医療機関コードを取得し、取得された病院医療機関コードに対応する医師用端末１１４の電子メールアドレスを、送信先アドレスとして用いる。同意確認は、例えば、「貴（医療）機関にはポリファーマシーの可能性のある患者が〇人います：情報提供を求める場合は、以下に同意ください。」という文言と共に同意内容を記載した電子メール等を服薬情報提供装置１０４から医師用端末１１４に送付することにより同意確認を行うこととしてもよい。
【０２５３】
医師用端末１１４のオペレータ（医師）は、受信された同意内容に対する同意の意思を表示する情報を医師用端末１１４から服薬情報提供装置１０４へ送信する（（３）’）。服薬情報提供装置１０４は、同意の意思を表示する情報の受信に応答して、分析結果の情報を提供する（（４）’）。医師用端末１１４のオペレータ（医師）は、服薬情報提供装置１０４から受信された分析結果の情報に基づいて患者４３０２に対し服薬指導を行う（（５）’）。あるいは、医師用端末１１４において、服薬状況レポートの作成、もしくは服薬情報提供装置１０４に対する服薬状況レポートの作成要求を行う。
【０２５４】
このような構成により、薬剤師や医師から患者に服薬情報を提供するにあたって、患者識別子の情報を患者から薬剤師や医師に提供する必要がなくなる。
【０２５５】
以上、本発明の実施の形態について説明したが、本発明は上述した実施形態に限定されず、他の種々の変形および修正が可能である。また、以上説明した複数の実施形態は、適宜それぞれの形態を二つ以上組み合わせて使用することが可能であることはいうまでもない。
【符号の説明】
【０２５６】
１０２、３９０２  保険者サーバ
１０３、４００３  審査支払機関サーバ
１０４  服薬情報提供装置
１１０、４１１０  薬局用端末
１１４  医師用端末
２０２  通信部
２０４  レセプト取得部
２０６  レポート作成部
２０８  表示部
２１０  入力部
２２４  記憶部
２１２  レセプトＤＢ
２１４  患者ＤＢ
２１６  医療機関マスタ
２１８  医薬品マスタ
２２０  傷病名マスタ
２２２  プログラム記憶部
２２６  データ記憶部
２２８  バス
２３０  症状マスタ
３９０４  レポート作成サーバ
【図１】
2020042766.tif 000004
【図２】
2020042766.tif 000005
【図３】
2020042766.tif 000006
【図４】
2020042766.tif 000007
【図５】
2020042766.tif 000008
【図６】
2020042766.tif 000009
【図７】
2020042766.tif 000010
【図８】
2020042766.tif 000011
【図９】
2020042766.tif 000012
【図１０】
2020042766.tif 000013
【図１１】
2020042766.tif 000014
【図１２】
2020042766.tif 000015
【図１３】
2020042766.tif 000016
【図１４】
2020042766.tif 000017
【図１５】
2020042766.tif 000018
【図１６】
2020042766.tif 000019
【図１７】
2020042766.tif 000020
【図１８】
2020042766.tif 000021
【図１９】
2020042766.tif 000022
【図２０】
2020042766.tif 000023
【図２１】
2020042766.tif 000024
【図２２】
2020042766.tif 000025
【図２３】
2020042766.tif 000026
【図２４】
2020042766.tif 000027
【図２５】
2020042766.tif 000028
【図２６】
2020042766.tif 000029
【図２７】
2020042766.tif 000030
【図２８】
2020042766.tif 000031
【図２９】
2020042766.tif 000032
【図３０】
2020042766.tif 000033
【図３１】
2020042766.tif 000034
【図３２】
2020042766.tif 000035
【図３３】
2020042766.tif 000036
【図３４】
2020042766.tif 000037
【図３５】
2020042766.tif 000038
【図３６】
2020042766.tif 000039
【図３７】
2020042766.tif 000040
【図３８】
2020042766.tif 000041
【図３９】
2020042766.tif 000042
【図４０】
2020042766.tif 000043
【図４１】
2020042766.tif 000044
【図４２】
2020042766.tif 000045
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
患者を識別する患者識別子と、医療機関識別子と、前記患者に対して調剤された医薬品の情報とを関連付けて記憶した記憶手段と、
前記記憶手段から、同一の患者識別子に関連付けられた所定の期間内の医薬品の情報および前記医薬品を処方した複数の医療機関の情報を取得する取得手段と、
前記取得手段により取得された医薬品の情報および複数の医療機関の情報を含む服薬情報を端末へ送信し、前記医薬品の情報を、前記医薬品を処方した医療機関ごとにグループ化して表示させる送信手段と、
前記患者識別子に対応する患者から聞き取った情報に基づいて前記医療機関ごとに編集された前記服薬情報を前記端末から受信する受信手段と、
前記編集された服薬情報に基づいて、前記医療機関ごとに、前記医療機関が処方した医薬品の情報及び前記患者から聞き取った情報を含む服薬状況レポートを生成する生成手段と
を備えたことを特徴とする服薬情報提供装置。
【請求項２】
前記編集された前記服薬情報は、前記患者識別子に対応する患者から聞き取った前記医薬品の残薬の情報を含むことを特徴とする請求項１に記載の服薬情報提供装置。
【請求項３】
前記編集された前記服薬情報は、前記患者識別子に対応する患者から聞き取った自覚症状のある副作用の情報を含み、
前記同一の患者識別子に関連付けられた所定の期間内の医薬品の情報のうちから、自覚症状のある副作用に対応する医薬品の情報を特定する手段と、
前記特定された医薬品の情報を前記端末に表示させる手段と
をさらに含むことを特徴とする請求項１に記載の服薬情報提供装置。
【請求項４】
前記生成手段は前記服薬状況レポートに前記患者識別子に対応する患者から聞き取った前記医薬品の自覚症状のある副作用の情報を含めて生成することを特徴とする請求項３に記載の服薬情報提供装置。
【請求項５】
前記取得された服薬情報に含まれた医薬品について、異なる医療機関において処方された医薬品の重複を判定する判定手段をさらに備え、前記送信手段は前記端末に前記医薬品の重複の判定結果を送信することを特徴とする請求項１ないし４のいずれかに記載の服薬情報提供装置。
【請求項６】
前記記憶手段は、前記医薬品の情報と傷病名の情報とを対応付けた第１の情報と、前記患者の傷病名と診療開始日とを対応付けた第２の情報とをさらに記憶しており、
前記判定手段により重複すると判定された医薬品の情報に対応する傷病名の情報を、前記第１の情報に基づいて特定する傷病名特定手段と、
前記傷病名特定手段により特定された傷病名に対応する診療開始日を、前記第２の情報に基づいて特定する診療開始日特定手段と、
前記重複すると判定された医薬品を処方した医療機関のうち、最先の診療開始日に対応する医療機関以外の医療機関に対し、前記重複すると判定された医薬品の処方を中止するよう通知する手段と
をさらに備えることを特徴とする請求項５に記載の服薬情報提供装置。
【請求項７】
前記生成手段は前記服薬状況レポートに前記医薬品の重複の判定結果の情報を含めて生成することを特徴とする請求項５または６に記載の服薬情報提供装置。
【請求項８】
前記取得された服薬情報に含まれた医薬品について、副作用を生じる医薬品の有無を判定する手段をさらに備え、前記送信手段は前記端末に前記副作用を生じる医薬品の有無の判定結果を送信することを特徴とする請求項１ないし７のいずれかに記載の服薬情報提供装置。
【請求項９】
前記生成手段は前記服薬状況レポートに前記副作用を生じる医薬品の有無の判定結果の情報を含めて生成することを特徴とする請求項８に記載の服薬情報提供装置。
【請求項１０】
前記取得された服薬情報に含まれた医薬品について、慎重な投与が必要な医薬品の有無を判定する手段をさらに備え、前記送信手段は前記端末に前記慎重な投与が必要な医薬品の有無の判定結果を送信することを特徴とする請求項１ないし９のいずれかに記載の服薬情報提供装置。
【請求項１１】
前記生成手段は前記服薬状況レポートに前記慎重な投与が必要な医薬品の有無の判定結果の情報を含めて生成することを特徴とする請求項１０に記載の服薬情報提供装置。
【請求項１２】
前記取得された服薬情報に含まれた医薬品について、相互作用を生じる医薬品の有無を判定する手段をさらに備え、前記送信手段は前記端末に前記相互作用を生じる医薬品の有無の判定結果を送信することを特徴とする請求項１ないし１１のいずれかに記載の服薬情報提供装置。
【請求項１３】
前記生成手段は前記服薬状況レポートに前記相互作用を生じる医薬品の有無の判定結果の情報を含めて生成することを特徴とする請求項１２に記載の服薬情報提供装置。
【請求項１４】
患者を識別する患者識別子と、医療機関識別子と、前記患者に対して調剤された医薬品の情報とを関連付けて記憶した記憶手段と、
前記記憶手段から、同一の患者識別子に関連付けられた所定の期間内の医薬品の情報および前記医薬品を処方した医療機関の情報を取得する取得手段と、
前記取得手段により取得された医薬品の情報および医療機関の情報を含む服薬情報を端末へ送信する送信手段と、
前記患者識別子に対応する患者から聞き取った情報に基づいて編集された前記服薬情報を前記端末から受信する受信手段と、
前記服薬情報に基づいて、前記医療機関ごとに、前記医療機関が処方した医薬品の情報及び前記患者から聞き取った情報を含む服薬状況レポートを生成する生成手段と
を備え、
前記編集された前記服薬情報は、前記患者識別子に対応する患者から聞き取った自覚症状のある副作用の情報を含み、
前記同一の患者識別子に関連付けられた所定の期間内の医薬品の情報のうちから、自覚症状のある副作用に対応する医薬品の情報を特定する手段と、
前記特定された医薬品の情報を前記端末に表示させる手段と
をさらに備えたことを特徴とする服薬情報提供装置。
【請求項１５】
患者を識別する患者識別子と、医療機関識別子と、前記患者に対して調剤された医薬品の情報とを関連付けて記憶した記憶手段と、
前記記憶手段から、同一の患者識別子に関連付けられた所定の期間内の医薬品の情報および前記医薬品を処方した医療機関の情報を取得する取得手段と、
前記取得手段により取得された服薬情報に含まれた医薬品について、異なる医療機関において処方された医薬品の重複を判定する判定手段と、
前記取得手段により取得された医薬品の情報および医療機関の情報を含む服薬情報を端末へ送信する送信手段であって、前記服薬情報は前記医薬品の重複の判定結果を含む、送信手段と、
前記患者識別子に対応する患者から聞き取った情報に基づいて編集された前記服薬情報を前記端末から受信する受信手段と、
前記服薬情報に基づいて、前記医療機関ごとに、前記医療機関が処方した医薬品の情報及び前記患者から聞き取った情報を含む服薬状況レポートを生成する生成手段と
を備え、
前記記憶手段は、前記医薬品の情報と傷病名の情報とを対応付けた第１の情報と、前記患者の傷病名と診療開始日とを対応付けた第２の情報とをさらに記憶しており、
前記取得された服薬情報に含まれた医薬品について、異なる医療機関において処方された医薬品の重複を判定する判定手段と、
前記判定手段により重複すると判定された医薬品の情報に対応する傷病名の情報を、前記第１の情報に基づいて特定する傷病名特定手段と、
前記傷病名特定手段により特定された傷病名に対応する診療開始日を、前記第２の情報に基づいて特定する診療開始日特定手段と、
前記重複すると判定された医薬品を処方した医療機関のうち、最先の診療開始日に対応する医療機関以外の医療機関に対し、前記重複すると判定された医薬品の処方を中止するよう通知する手段と
をさらに備えることを特徴とする服薬情報提供装置。
【請求項１６】
患者を識別する患者識別子と、医療機関識別子と、前記患者に対して調剤された医薬品の情報とを関連付けて記憶した記憶手段と、
前記記憶手段から、同一の患者識別子に関連付けられた所定の期間内の医薬品の情報および前記医薬品を処方した複数の医療機関の情報を取得する取得手段と、
前記取得手段により取得された医薬品の情報および複数の医療機関の情報を含む服薬情報を、前記医薬品を処方した医療機関ごとにグループ化して表示する表示手段と、
前記患者識別子に対応する患者から聞き取った情報に基づいて前記表示手段に表示された服薬情報を前記医療機関ごとに編集する編集手段と、
前記編集手段により編集された服薬情報に基づいて、前記医療機関ごとに、前記医療機関が処方した医薬品の情報及び前記患者から聞き取った情報を含む服薬状況レポートを生成する生成手段と
を備えたことを特徴とする服薬情報提供装置。
【請求項１７】
前記取得手段は、前記患者識別子から、前記医薬品の情報および前記医療機関の情報の少なくとも一部を取得することを特徴とする請求項１ないし１６のいずれかに記載の服薬情報提供装置。
【請求項１８】
患者を識別する患者識別子と、医療機関識別子と、前記患者に対して調剤された医薬品の情報とを関連付けて記憶部に記憶した記憶手段とを備えたコンピュータにより実行される服薬情報提供方法であって、
前記記憶手段から、同一の患者識別子に関連付けられた所定の期間内の医薬品の情報および前記医薬品を処方した複数の医療機関の情報を取得するステップと、
前記取得された医薬品の情報および複数の医療機関の情報を含む服薬情報を端末へ送信し、前記医薬品の情報を、前記医薬品を処方した医療機関ごとにグループ化して表示させるステップと、
前記患者識別子に対応する患者から聞き取った情報に基づいて前記医療機関ごとに編集された前記服薬情報を前記端末から受信するステップと、
前記編集された服薬情報に基づいて、前記医療機関ごとに、前記医療機関が処方した医薬品の情報及び前記患者から聞き取った情報を含む服薬状況レポートを生成するステップと
を備えたことを特徴とする服薬情報提供方法。
【請求項１９】
患者を識別する患者識別子と、医療機関識別子と、前記患者に対して調剤された医薬品の情報とを関連付けて記憶部に記憶した記憶手段とを備えたコンピュータにより実行される服薬情報提供方法であって、
前記記憶手段から、同一の患者識別子に関連付けられた所定の期間内の医薬品の情報および前記医薬品を処方した医療機関の情報を取得するステップと、
前記取得された医薬品の情報および医療機関の情報を含む服薬情報を端末へ送信するステップと、
前記患者識別子に対応する患者から聞き取った情報に基づいて編集された前記服薬情報を前記端末から受信するステップと、
前記服薬情報に基づいて、前記医療機関ごとに、前記医療機関が処方した医薬品の情報及び前記患者から聞き取った情報を含む服薬状況レポートを生成するステップと
を備え、
前記編集された前記服薬情報は、前記患者識別子に対応する患者から聞き取った自覚症状のある副作用の情報を含み、
前記同一の患者識別子に関連付けられた所定の期間内の医薬品の情報のうちから、自覚症状のある副作用に対応する医薬品の情報を特定するステップと、
前記特定された医薬品の情報を前記端末に表示させるステップと
をさらに備えたことを特徴とする服薬情報提供方法。
【請求項２０】
患者を識別する患者識別子と、医療機関識別子と、前記患者に対して調剤された医薬品の情報とを関連付けて記憶部に記憶した記憶手段とを備えたコンピュータにより実行される服薬情報提供方法であって、
前記記憶手段から、同一の患者識別子に関連付けられた所定の期間内の医薬品の情報および前記医薬品を処方した医療機関の情報を取得するステップと、
前記取得された服薬情報に含まれた医薬品について、異なる医療機関において処方された医薬品の重複を判定するステップと、
前記取得された医薬品の情報および医療機関の情報を含む服薬情報を端末へ送信するステップであって、前記服薬情報は前記医薬品の重複の判定結果を含む、ステップと、
前記患者識別子に対応する患者から聞き取った情報に基づいて編集された前記服薬情報を前記端末から受信するステップと、
前記服薬情報に基づいて、前記医療機関ごとに、前記医療機関が処方した医薬品の情報及び前記患者から聞き取った情報を含む服薬状況レポートを生成するステップと
を備え、
前記記憶手段は、前記医薬品の情報と傷病名の情報とを対応付けた第１の情報と、前記患者の傷病名と診療開始日とを対応付けた第２の情報とをさらに記憶しており、
前記重複すると判定された医薬品の情報に対応する傷病名の情報を、前記第１の情報に基づいて特定するステップと、
前記特定された傷病名に対応する診療開始日を、前記第２の情報に基づいて特定するステップと、
前記重複すると判定された医薬品を処方した医療機関のうち、最先の診療開始日に対応する医療機関以外の医療機関に対し、前記重複すると判定された医薬品の処方を中止するよう通知するステップと
をさらに備えたことを特徴とする服薬情報提供方法。
【請求項２１】
患者を識別する患者識別子と、医療機関識別子と、前記患者に対して調剤された医薬品の情報とを関連付けて記憶した記憶手段とを備えたコンピュータにより実行される服薬情報提供方法であって、
前記記憶手段から、同一の患者識別子に関連付けられた所定の期間内の医薬品の情報および前記医薬品を処方した複数の医療機関の情報を取得するステップと、
前記取得された医薬品の情報および複数の医療機関の情報を含む服薬情報を、前記医薬品を処方した医療機関ごとにグループ化して表示するステップと、
前記患者識別子に対応する患者から聞き取った情報に基づいて前記表示された服薬情報を前記医療機関ごとに編集するステップと、
前記編集された服薬情報に基づいて、前記医療機関ごとに、前記医療機関が処方した医薬品の情報及び前記患者から聞き取った情報を含む服薬状況レポートを生成するステップと
を備えたことを特徴とする服薬情報提供方法。
【請求項２２】
前記取得するステップは、前記患者識別子から、前記医薬品の情報および前記医療機関の情報の少なくとも一部を取得することを特徴とする請求項１８ないし２１のいずれかに記載の服薬情報提供方法。
【請求項２３】
患者を識別する患者識別子を入力する入力手段と、
前記入力手段により入力された患者識別子を服薬情報提供装置に送信する送信手段と、
前記服薬情報提供装置から、前記患者識別子に関連付けられた所定の期間内の医薬品の情報および前記医薬品を処方した複数の医療機関の情報を含む服薬情報を受信する受信手段と、
前記受信手段により受信された服薬情報を表示する表示手段であって、前記服薬情報の表示は、前記医薬品の情報を、前記医薬品を処方した医療機関ごとにグループ化して表示することを含む、表示手段と、
前記患者から聞き取った情報に基づいて前記表示手段に表示された服薬情報を前記医療機関ごとに編集する編集手段と
を備えたことを特徴とする端末。
【請求項２４】
前記編集手段により編集された前記服薬情報は、前記医療機関に対するコメントを含むことを特徴とする請求項２３に記載の端末。
【請求項２５】
コンピュータにより実行される服薬情報編集方法であって、
患者を識別する患者識別子を入力するステップと、
前記入力された患者識別子を服薬情報提供装置に送信するステップと、
前記服薬情報提供装置から、前記患者識別子に関連付けられた所定の期間内の医薬品の情報および前記医薬品を処方した複数の医療機関の情報を含む服薬情報を受信するステップと、
前記受信された服薬情報を表示手段に表示するステップであって、前記服薬情報の表示は、前記医薬品の情報を、前記医薬品を処方した医療機関ごとにグループ化して表示することを含む、ステップと、
前記患者から聞き取った情報に基づいて前記表示手段に表示された服薬情報を前記医療機関ごとに編集するステップと
を備えたことを特徴とする服薬情報編集方法。
【請求項２６】
コンピュータを、請求項１ないし１７のいずれかに記載の服薬情報提供装置として機能させるためのコンピュータプログラム。
【請求項２７】
コンピュータを、請求項２３または２４に記載の端末として機能させるためのコンピュータプログラム。
【手続補正２】
【補正対象書類名】明細書
【補正対象項目名】００２８
【補正方法】変更
【補正の内容】
【００２８】
本発明の他の態様によれば、本発明に係る服薬情報提供方法は、患者を識別する患者識別子と、医療機関識別子と、前記患者に対して調剤された医薬品の情報とを関連付けて記憶部に記憶した記憶手段とを備えたコンピュータにより実行される服薬情報提供方法であって、前記記憶手段から、同一の患者識別子に関連付けられた所定の期間内の医薬品の情報および前記医薬品を処方した医療機関の情報を取得するステップと、前記取得された服薬情報に含まれた医薬品について、異なる医療機関において処方された医薬品の重複を判定するステップと、前記取得された医薬品の情報および医療機関の情報を含む服薬情報を端末へ送信するステップであって、前記服薬情報は前記医薬品の重複の判定結果を含む、ステップと、前記患者識別子に対応する患者から聞き取った情報に基づいて編集された前記服薬情報を前記端末から受信するステップと、前記服薬情報に基づいて、前記医療機関ごとに、前記医療機関が処方した医薬品の情報及び前記患者から聞き取った情報を含む服薬状況レポートを生成するステップとを備え、前記記憶手段は、前記医薬品の情報と傷病名の情報とを対応付けた第１の情報と、前記患者の傷病名と診療開始日とを対応付けた第２の情報とをさらに記憶しており、前記重複すると判定された医薬品の情報に対応する傷病名の情報を、前記第１の情報に基づいて特定するステップと、前記特定された傷病名に対応する診療開始日を、前記第２の情報に基づいて特定するステップと、前記重複すると判定された医薬品を処方した医療機関のうち、最先の診療開始日に対応する医療機関以外の医療機関に対し、前記重複すると判定された医薬品の処方を中止するよう通知するステップとをさらに備える。